(57)【要約】【解決手段】  戸先（１）、戸当り（２）、戸当り凹部（２’）、及び、ストッパー（３）を含んで構成され、凸部たる戸先（１）を、戸当り（２）の凹部たる戸当り凹部（２’）に収納することにより、スライドドアを閉止する機構によるスライドドア閉止構造であって、戸先（１）の形状を規定するパラメーターである戸先幅をＷ１とし、戸当り（２）の形状を規定するパラメーターである戸当たり幅をＷ２とし、戸当り凹部（２’）の形状を規定するパラメーターである戸当り奥行長をＤ２とし、戸先側面部（１Ｓ）の戸先正面部（１Ｆ）から距離ｄ１の位置にストッパー（３）のストッパー中央部（３’）を設け、ストッパー中央部（３’）のストッパー突出長をｗ１、ストッパー遊び幅をδ１としたときに、Ｗ１、Ｗ２、ｗ１、ｄ１、δ１、及び、Ｄ１が特定の関係式を満たすことを特徴とするスライドドア閉止構造。【効果】  スライドドア閉止構造のガタツキを防止する。【選択図】  図６
2011185007.tif 000002
【特許請求の範囲】
【請求項１】
戸先（１）、戸当り（２）、戸当り凹部（２’）、及び、ストッパー（３）を含んで構成され、
凸部たる戸先（１）を、戸当り（２）の凹部たる戸当り凹部（２’）に収納することにより、
スライドドアを閉止する機構によるスライドドア閉止構造であって、
戸先（１）の形状を規定するパラメーターである戸先幅をＷ１とし、
戸当り（２）の形状を規定するパラメーターである戸当たり幅をＷ２とし、
戸当り凹部（２’）の形状を規定するパラメーターである戸当り奥行長をＤ２とし、
戸先側面部（１Ｓ）の戸先正面部（１Ｆ）から距離ｄ１の位置にストッパー（３）のストッパー中央部（３’）を設け、
ストッパー中央部（３’）のストッパー突出長をｗ１、ストッパー遊び幅をδ１としたときに、
以下の数式（１）〜（３）を全て満たすことを特徴とするスライドドア閉止構造。
ｗ１ ＝ ｛（ Ｗ２ − Ｗ１ ） ÷ ２ ｝ ± δ１                （１）
０  ≦  δ１  ≦  ｛（ Ｗ２ − Ｗ１ ） ÷ ２ ｝ × ０．１    （２）
０  ≦  ｄ１  ≦  Ｄ２                                       （３）
【請求項２】
戸先（１）、戸当り（２）、戸当り凹部（２’）、及び、ストッパー（３）を含んで構成され、
凸部たる戸先（１）を、戸当り（２）の凹部たる戸当り凹部（２’）に収納することにより、
スライドドアを閉止する機構によるスライドドア閉止構造であって、
戸先（１）の形状を規定するパラメーターである戸先幅をＷ１とし、
戸当り（２）の形状を規定するパラメーターである戸当たり幅をＷ２とし、
戸当り凹部（２’）の形状を規定するパラメーターである戸当り奥行長をＤ２とし、
戸当り側面部（２Ｓ）の戸当り正面部（２Ｆ）から距離ｄ２の位置にストッパー（３）のストッパー中央部（３’）を設け、
ストッパー中央部（３’）のストッパー突出長をｗ２、ストッパー遊び幅をδ２としたときに、
以下の数式（１）〜（３）を全て満たすことを特徴とするスライドドア閉止構造。
ｗ２ ＝ ｛（ Ｗ２ − Ｗ１ ） ÷ ２ ｝ ± δ２                （４）
０  ≦  δ２  ≦  ｛（ Ｗ２ − Ｗ１ ） ÷ ２ ｝ × ０．１    （５）
０  ≦  ｄ２  ≦  Ｄ２                                       （６）
【請求項３】
戸先（１）、戸当り（２）、戸当り凹部（２’）、及び、ストッパー（３）を含んで構成され、
凸部たる戸先（１）を、戸当り（２）の凹部たる戸当り凹部（２’）に収納することにより、
スライドドアを閉止する機構によるスライドドア閉止構造であって、
戸先（１）の形状を規定するパラメーターである戸先幅をＷ１とし、
戸当り（２）の形状を規定するパラメーターである戸当たり幅をＷ２とし、
戸当り凹部（２’）の形状を規定するパラメーターである戸当り奥行長をＤ２とし、
戸先側面部（１Ｓ）の戸先正面部（１Ｆ）から距離ｄ１の位置にストッパー（３）のストッパー中央部（３’）を設け、
ストッパー中央部（３’）のストッパー突出長をｗ１、ストッパー遊び幅をδ１としたときに、
以下の数式（１）〜（３）を全て満たし、
且つ、
戸当たり正面部（２Ｆ）がバンパー（Ｘ’）の前端部（ｘ１’）に衝突することにより、バンパー（Ｘ’）が後退方向に後退し、
バンパー（Ｘ’）の後端部（ｘ２’）が、レバー（Ｙ’）の摺動部（ｙ１’）を押して、ラッチ（ｙ３’）がガイド（ｙ２’）に沿ってせり上がり、
ストッパー（３）としてのラッチ（ｙ３’）がロック方向に移動して、
戸当たり側面部（２Ｓ）を内側から外側に向かって押圧してグリップすることを特徴とするスライドドア閉止構造。
ｗ１ ＝ ｛（ Ｗ２ − Ｗ１ ） ÷ ２ ｝ ± δ１                （１）
０  ≦  δ１  ≦  ｛（ Ｗ２ − Ｗ１ ） ÷ ２ ｝ × ０．１    （２）
０  ≦  ｄ１  ≦  Ｄ２                                       （３）
【請求項４】
戸先（１）、戸当り（２）、戸当り凹部（２’）、及び、ストッパー（３）を含んで構成され、
凸部たる戸先（１）を、戸当り（２）の凹部たる戸当り凹部（２’）に収納することにより、
スライドドアを閉止する機構によるスライドドア閉止構造であって、
戸先（１）の形状を規定するパラメーターである戸先幅をＷ１とし、
戸当り（２）の形状を規定するパラメーターである戸当たり幅をＷ２とし、
戸当り凹部（２’）の形状を規定するパラメーターである戸当り奥行長をＤ２とし、
戸当り側面部（２Ｓ）の戸当り正面部（２Ｆ）から距離ｄ２の位置にストッパー（３）のストッパー中央部（３’）を設け、
ストッパー中央部（３’）のストッパー突出長をｗ２、ストッパー遊び幅をδ２としたときに、
以下の数式（１）〜（３）を全て満たし、
且つ、
戸先正面部（１Ｆ）がバンパー（Ｘ）の前端部（ｘ１）に衝突することにより、バンパー（Ｘ）が後退方向に後退し、
バンパー（Ｘ）の後端部（ｘ２）が、レバー（Ｙ）の力点（ｙ１）を押して、
梃子の原理により、
ストッパー（３）としてのラッチ（ｙ３）がロック方向に移動して、戸先側面部（１Ｓ）をグリップすることを特徴とするスライドドア閉止構造。
ｗ２ ＝ ｛（ Ｗ２ − Ｗ１ ） ÷ ２ ｝ ± δ２                （４）
０  ≦  δ２  ≦  ｛（ Ｗ２ − Ｗ１ ） ÷ ２ ｝ × ０．１    （５）
０  ≦  ｄ２  ≦  Ｄ２                                       （６）
【発明の詳細な説明】
【技術分野】
【０００１】
本発明は、スライドドア閉止構造に関する。
【背景技術】
【０００２】
従来技術におけるスライド式ドア（以下、単にスライドドアという。）の基本構造は、例えば、特開２００７−１３８６６３号公報等に開示されている。
従来技術におけるスライドドアの基本構造を、図１、及び、図２に示した。
図１、及び、図２に示す如く、従来技術におけるスライドドアの主要な構成要素は、次のとおりである。
１     戸先
１ｆ   戸先（開口側）
１ｒ   戸先（戸袋側）
２     戸当り
２ｆ   戸当り（開口側）
２ｒ   戸当り（戸袋側）
１１     ３方枠体
１１ｕ   上枠
１１ｓ   縦枠
１２     床面
１３     ドアパネル
１４     吊りレール
１７     吊り車
１７ａ   車軸
１７ｂ   吊り下げ軸
２０     ハンドル
図１、及び、図２に関し、図３以降の他の図において、断面図、又は、拡大断面図を示す箇所は、次のとおりである。
Ａ−Ａ  切断面矢視図
Ｂ−Ｂ  切断面矢視図
Ｃ−Ｃ  切断面矢視図
Ｗ      拡大断面図で図示する部分
図１に関し、図３以降の他の図において、断面図、又は、拡大断面図を俯瞰する方向は、次のとおりである。
ブロック矢印（左向き）  Ａ−Ａ  切断面矢視図の俯瞰方向
ブロック矢印（下向き）  Ｂ−Ｂ  切断面矢視図の俯瞰方向
図２に関し、図３以降の他の図において、断面図、又は、拡大断面図を俯瞰する方向は、次のとおりである。
ブロック矢印（左向き）  Ａ−Ａ  切断面矢視図の俯瞰方向
ブロック矢印（右向き）  Ｃ−Ｃ  切断面矢視図の俯瞰方向
【０００３】
従来技術におけるスライドドアの基本構造について、図３に、図１のＶ部分を矢印方向から俯瞰した断面図（図１の Ａ−Ａ 矢視図）を示した。
図３に示す如く、従来技術におけるスライドドアの主要な構成要素は、次のとおりである。
１１ｕ 上枠
１３   ドアパネル
１４   吊りレール
１７   吊り車
１７ａ 車軸
１７ｂ 吊り下げ軸
４１   取付用フラットバー
【０００４】
従来技術におけるスライドドアについて、図４に、戸先（１）と戸当り（２）の基本構造を示した。
図４は、図１のＷ部分を矢印方向から俯瞰した断面図（図１の Ｂ−Ｂ 矢視図）である。
図４（イ）には、戸先（１）と戸当り（２）の基本構造を示した。
ブロック矢印は、ドアパネル（１３）のスライド方向である。
図４（イ）に示す如く、戸先（１）と戸当り（２）の主要な構成要素は、次のとおりである。
１Ｆ    戸先正面部
１Ｓ    戸先側面部
２Ｆ    戸当り正面部
２Ｓ    戸当り側面部
１３    ドアパネル
２３    戸当り枠
（縦枠（１１ｓ））
図４（ロ）に、戸先（１）と戸当り（２）の主要な部分の名称を示した。
ブロック矢印は、ドアパネル（１３）のスライド方向である。
図４（ロ）に示す如く、戸先（１）と戸当り（２）の主要な部分の名称は、次のとおりである。
１    戸先
２    戸当り
２’  戸当り凹部
１３    ドアパネル
２３    戸当り枠
（縦枠（１１ｓ））
【０００５】
従来技術におけるスライドドアは、鴨居、敷居、框等を成る可く排除して、車椅子、松葉杖、ストレッチャー等を必要とする社会弱者（老人、病人、怪我人、身障者、妊婦、乳幼児等）のためのバリアフリー施設（老健施設、身障者施設、病院等）の建具として、広く使用されている。
従来技術におけるスライドドアは、トイレ、浴室、食堂、リハビリ室、病室、診察室等の出入り口のバリアフリー用建具として、広く使用されている。
然るに、従来技術におけるスライドドアは、通常、戸先（１）と戸当り（２）の間の「遊び間隔（隙間）」が大きい。
そのため、従来技術におけるスライドドアは、図５に示す如く、スライド方向（Ｘ方向）及び／又は水平方向（Ｚ方向）にガタツキが大きく、ガタツキ音がしたり、隙間から、照明光、隙間風、汚物の臭い、廃泄音、騒音（会話、音楽、ＴＶの音声等）、空調による配熱等が漏れ出すという問題点があった。
また、ガタツキのために、錠や閂を掛け難いという問題点もあった。
図５は、図１のＷ部分を矢印方向から俯瞰した断面図（図１の Ｂ−Ｂ 矢視図）である。
【先行技術文献】
【特許文献】
【０００６】
【特許文献１】特開２００７−１３８６６３号公報
【発明の開示】
【発明が解決しようとする課題】
【０００７】
上述したとおり、従来技術におけるスライドドアは、戸先（１）と戸当り（２）の間の「遊び間隔（隙間）」が大きく、図５に示す如く、スライド方向（Ｘ方向）及び／又は水平方向（Ｚ方向）にガタツキが大きく、隙間から、風、臭い、音等が漏れるという問題点があった。
本発明が解決しようとする課題は、上記問題点に鑑み、従来技術におけるスライドドアの問題点である、戸先（１）と戸当り（２）の間の大きな「遊び間隔（隙間）」を解消することである。
本発明が解決しようとする課題は、上記問題点に鑑み、戸先（１）と戸当り（２）の間の大きな「遊び間隔（隙間）」を解消することにより、隙間から、風、臭い、音等が漏れるという問題を解消することである。
【課題を解決するための手段】
【０００８】
本発明における課題を解決するための手段は、「特許請求の範囲」の「請求項１」乃至「請求項４」に記載事項により特定される。
【０００９】
［特許請求の範囲］
［請求項１］
戸先（１）、戸当り（２）、戸当り凹部（２’）、及び、ストッパー（３）を含んで構成され、
凸部たる戸先（１）を、戸当り（２）の凹部たる戸当り凹部（２’）に収納することにより、
スライドドアを閉止する機構によるスライドドア閉止構造であって、
戸先（１）の形状を規定するパラメーターである戸先幅をＷ１とし、
戸当り（２）の形状を規定するパラメーターである戸当たり幅をＷ２とし、
戸当り凹部（２’）の形状を規定するパラメーターである戸当り奥行長をＤ２とし、
戸先側面部（１Ｓ）の戸先正面部（１Ｆ）から距離ｄ１の位置にストッパー（３）のストッパー中央部（３’）を設け、
ストッパー中央部（３’）のストッパー突出長をｗ１、ストッパー遊び幅をδ１としたときに、
以下の数式（１）〜（３）を全て満たすことを特徴とするスライドドア閉止構造。
ｗ１ ＝ ｛（ Ｗ２ − Ｗ１ ） ÷ ２ ｝ ± δ１                （１）
０  ≦  δ１  ≦  ｛（ Ｗ２ − Ｗ１ ） ÷ ２ ｝ × ０．１    （２）
０  ≦  ｄ１  ≦  Ｄ２                                       （３）
［請求項２］
戸先（１）、戸当り（２）、戸当り凹部（２’）、及び、ストッパー（３）を含んで構成され、
凸部たる戸先（１）を、戸当り（２）の凹部たる戸当り凹部（２’）に収納することにより、
スライドドアを閉止する機構によるスライドドア閉止構造であって、
戸先（１）の形状を規定するパラメーターである戸先幅をＷ１とし、
戸当り（２）の形状を規定するパラメーターである戸当たり幅をＷ２とし、
戸当り凹部（２’）の形状を規定するパラメーターである戸当り奥行長をＤ２とし、
戸当り側面部（２Ｓ）の戸当り正面部（２Ｆ）から距離ｄ２の位置にストッパー（３）のストッパー中央部（３’）を設け、
ストッパー中央部（３’）のストッパー突出長をｗ２、ストッパー遊び幅をδ２としたときに、
以下の数式（１）〜（３）を全て満たすことを特徴とするスライドドア閉止構造。
ｗ２ ＝ ｛（ Ｗ２ − Ｗ１ ） ÷ ２ ｝ ± δ２                （４）
０  ≦  δ２  ≦  ｛（ Ｗ２ − Ｗ１ ） ÷ ２ ｝ × ０．１    （５）
０  ≦  ｄ２  ≦  Ｄ２                                       （６）
［請求項３］
戸先（１）、戸当り（２）、戸当り凹部（２’）、及び、ストッパー（３）を含んで構成され、
凸部たる戸先（１）を、戸当り（２）の凹部たる戸当り凹部（２’）に収納することにより、
スライドドアを閉止する機構によるスライドドア閉止構造であって、
戸先（１）の形状を規定するパラメーターである戸先幅をＷ１とし、
戸当り（２）の形状を規定するパラメーターである戸当たり幅をＷ２とし、
戸当り凹部（２’）の形状を規定するパラメーターである戸当り奥行長をＤ２とし、
戸先側面部（１Ｓ）の戸先正面部（１Ｆ）から距離ｄ１の位置にストッパー（３）のストッパー中央部（３’）を設け、
ストッパー中央部（３’）のストッパー突出長をｗ１、ストッパー遊び幅をδ１としたときに、
以下の数式（１）〜（３）を全て満たし、
且つ、
戸当たり正面部（２Ｆ）がバンパー（Ｘ’）の前端部（ｘ１’）に衝突することにより、バンパー（Ｘ’）が後退方向に後退し、
バンパー（Ｘ’）の後端部（ｘ２’）が、レバー（Ｙ’）の摺動部（ｙ１’）を押して、ラッチ（ｙ３’）がガイド（ｙ２’）に沿ってせり上がり、
ストッパー（３）としてのラッチ（ｙ３’）がロック方向に移動して、
戸当たり側面部（２Ｓ）を内側から外側に向かって押圧してグリップすることを特徴とするスライドドア閉止構造。
ｗ１ ＝ ｛（ Ｗ２ − Ｗ１ ） ÷ ２ ｝ ± δ１                （１）
０  ≦  δ１  ≦  ｛（ Ｗ２ − Ｗ１ ） ÷ ２ ｝ × ０．１    （２）
０  ≦  ｄ１  ≦  Ｄ２                                       （３）
［請求項４］
戸先（１）、戸当り（２）、戸当り凹部（２’）、及び、ストッパー（３）を含んで構成され、
凸部たる戸先（１）を、戸当り（２）の凹部たる戸当り凹部（２’）に収納することにより、
スライドドアを閉止する機構によるスライドドア閉止構造であって、
戸先（１）の形状を規定するパラメーターである戸先幅をＷ１とし、
戸当り（２）の形状を規定するパラメーターである戸当たり幅をＷ２とし、
戸当り凹部（２’）の形状を規定するパラメーターである戸当り奥行長をＤ２とし、
戸当り側面部（２Ｓ）の戸当り正面部（２Ｆ）から距離ｄ２の位置にストッパー（３）のストッパー中央部（３’）を設け、
ストッパー中央部（３’）のストッパー突出長をｗ２、ストッパー遊び幅をδ２としたときに、
以下の数式（１）〜（３）を全て満たし、
且つ、
戸先正面部（１Ｆ）がバンパー（Ｘ）の前端部（ｘ１）に衝突することにより、バンパー（Ｘ）が後退方向に後退し、
バンパー（Ｘ）の後端部（ｘ２）が、レバー（Ｙ）の力点（ｙ１）を押して、
梃子の原理により、
ストッパー（３）としてのラッチ（ｙ３）がロック方向に移動して、戸先側面部（１Ｓ）をグリップすることを特徴とするスライドドア閉止構造。
ｗ２ ＝ ｛（ Ｗ２ − Ｗ１ ） ÷ ２ ｝ ± δ２                （４）
０  ≦  δ２  ≦  ｛（ Ｗ２ − Ｗ１ ） ÷ ２ ｝ × ０．１    （５）
０  ≦  ｄ２  ≦  Ｄ２                                       （６）
【００１０】
［本発明におけるスライドドアの戸先（１）と戸当り（２）の基本構造］
図６に、本発明におけるスライドドアの基本構造をしめした。
本発明の構成要件は、少なくとも、戸先（１）、戸当り（２）、戸当り凹部（２’）、及び、ストッパー（３）を含んで構成される。
図６は、図１のＷ部分を矢印方向から俯瞰した断面図（図１の Ｂ−Ｂ 矢視図）を示したものである。
図６（イ）に示す如く、本発明の構成要件は、少なくとも、戸先（１）、戸当り（２）、戸当り凹部（２’）、及び、ストッパー（３）を含んで構成される。
１Ｆ    戸先正面部
１Ｓ    戸先側面部
２Ｆ    戸当り正面部
２Ｓ    戸当り側面部
３    ストッパー
３’  ストッパー中央部（ストッパー最突出部）
図６（ロ）には、戸先（１）と戸当り（２）の基本構造を示した。
ブロック矢印は、ドアパネル（１３）のスライド方向である。
図６（ロ）に示す如く、戸先（１）と戸当り（２）の主要な構成要素は、次のとおりである。
１Ｆ    戸先正面部
１Ｓ    戸先側面部
２Ｆ    戸当り正面部
２Ｓ    戸当り側面部
１３    ドアパネル
２３    戸当り枠
（縦枠（１１ｓ））
図６（ハ）において、本発明におけるスライドドアの戸先（１）と戸当り（２）の基本構造を規定する主要なパラメーターは、次のとおりである。
Ｗ２   戸当り幅（ｍｍ）
Ｄ２   戸当り奥行長（ｍｍ）
ｄ２   戸当り側ストッパー中心設置位置（ｍｍ）
Ｗ１   戸先幅（ｍｍ）
ｄ１   戸先側ストッパー中心設置位置（ｍｍ）
【００１１】
［本発明におけるスライドドアの戸先（１）と戸当り（２）の長さ方向のパラメーター］
図７（イ）に、本発明におけるスライドドアの戸先（１）と戸当り（２）の基本構造を規定する長さ方向の主要なパラメーターを示す。
図７（イ）は、図１のＷ部分を矢印方向から俯瞰した断面図（図１の Ｂ−Ｂ 矢視図）を示したものである。
本発明におけるスライドドアの戸先（１）と戸当り（２）の基本構造を規定する長さ方向の主要なパラメーターは、次のとおりである。
１Ｓ  戸先側面部
２Ｓ  戸当り側面部
Ｄ２   戸当り奥行長（ｍｍ）
ｄ２   戸当り側ストッパー中心設置位置（ｍｍ）
ｄ１   戸先側ストッパー中心設置位置（ｍｍ）
【００１２】
［本発明におけるスライドドアの戸先（１）と戸当り（２）の幅方向のパラメーター］
図７（ロ）に、本発明におけるスライドドアの戸先（１）と戸当り（２）の基本構造を規定する幅方向の主要なパラメーターを示す。
図７（ロ）は、図１のＷ部分を矢印方向から俯瞰した断面図（図１の Ｂ−Ｂ 矢視図）を示したものである。
本発明におけるスライドドアの戸先（１）と戸当り（２）の基本構造を規定する幅方向の主要なパラメーターは、次のとおりである。
１Ｓ  戸先側面部
２Ｓ  戸当り側面部
Ｗ１   戸先幅（ｍｍ）
Ｗ２   戸当り幅（ｍｍ）
【００１３】
図８に、本発明におけるスライドドアの戸先（１）と戸当り（２）の基本構造における、戸先側ストッパー突出長（ｗ１）と、戸当り側ストッパー突出長（ｗ２）を示した。
図８は、図１のＷ部分を矢印方向から俯瞰した断面図（図１の Ｂ−Ｂ 矢視図）を示したものである。
本発明におけるスライドドアの戸先（１）と戸当り（２）の基本構造における、戸先側ストッパー突出長（ｗ１）と、戸当り側ストッパー突出長（ｗ２）を規定する主要なパラメーターは、次のとおりである。
（イ）長さ方向のパラメーター
Ｄ２   戸当り奥行長（ｍｍ）
ｄ２   戸当り側ストッパー中心設置位置（ｍｍ）
ｄ１   戸先側ストッパー中心設置位置（ｍｍ）
（ロ）幅方向のパラメーター
Ｗ１   戸先幅（ｍｍ）
Ｗ２   戸当り幅（ｍｍ）
（ハ）パラメーター計算式
戸先側ストッパー突出長（ｍｍ）
ｗ１ ＝ ｛（ Ｗ２ − Ｗ１ ） ÷ ２ ｝ ± δ１
戸当り側ストッパー突出長（ｍｍ）
ｗ２ ＝ ｛（ Ｗ２ − Ｗ１ ） ÷ ２ ｝ ± δ２
【００１４】
［用語］
本出願に係る「特許請求の範囲」、「明細書」、及び、「図面」において用いる用語の概念について、図１〜図５、図１４、図１８、図１９、図２１〜２３等に図解した。
本発明において用いる「プラスチック」なる用語の概念は、特に限定されるものではないが、熱可塑性プラスチックが好ましく用いられる。
熱可塑性プラスチックとしては、ポリエチレン、ポリプロピレン、ポリスチレン、ポリエチレンテレフタレート等が好ましく使用される。
好ましくは、耐衝撃性に優れたポリカーボネート、ＡＢＳ（アクリロニトリル−ブタジエン−スチレン）等、摺動性に優れたポリオキシメチレン等のポリアセタール樹脂、ポリ４フッ化ポリエチレン（ＰＴＦＥ）等のフッ素樹脂が好ましく用いられる。
本発明において用いる「ゴム」なる用語の概念は、特に限定されるものではないが、加硫ゴム、非加硫ゴム、熱可塑性ゴム等が好ましく用いられる。
熱可塑性ゴムとしては、ＳＢＳ（スチレン−ブタジエン−スチレン三元ブロック共重合体）等が好ましく使用される。
好ましくは、耐久性に優れたシリコーンゴム、フッ素ゴム、クロロプレン等が好ましく用いられる。
【００１５】
［パラメーター］
本出願に係る「特許請求の範囲」、「明細書」、及び、「図面」において用いるパラメーターの概念について、図６〜図９、図１１、図１３、図１５〜１７、図２０〜２３等に図解した。
【発明の効果】
【００１６】
本発明の効果は、従来技術におけるスライドドアの問題点である、戸先（１）と戸当り（２）の間の大きな「遊び間隔（隙間）」を解消できることである。
本発明の効果は、戸先（１）と戸当り（２）の間の大きな「遊び間隔（隙間）」を解消することにより、隙間から、風、臭い、音等が漏れるという問題を解消できることである。
また、ガタツキのために、錠や閂を掛け難いという問題を解消できることである。
【発明を実施するための形態】
【００１７】
本発明における最良の形態を、実施例１〜実施例９に示した。
【００１８】
表１に、実施例１〜実施例９におけるストッパー（３）の下位概念と実施態様を示した。
【００１９】
【表１】
2011185007.tif 000003
【実施例１】
【００２０】
実施例１として、本発明における形態の一態様における戸当り側面部（２Ｓ）の構造を図９に示した。
図９は、図２Ｗ部分断面図を矢印方向から俯瞰したものである。
図９に、戸当り側面部嵌合凸部（２Ｂ）の設置中心位置(ｄ２)と突出長(ｗ２)を示した。
図９（イ）は、図２Ｗ部分の Ｂ−Ｂ 矢視図である。
ｄ２は、 戸当り側ストッパー中心設置位置（ｍｍ）、ｗ２は、戸当り側ストッパー突出長（ｍｍ）である。
ｗ２は、次式により計算され、適宜、δ２を設定する。
δ２は、遊び幅、又は、誤差幅であり、好ましくは、０ｍｍであるが、スライドドアの戸先を、戸当りに完全閉止した状態における嵌合状態を、緊目（キツメ）にするか緩目（ユルメ）にするかにより、又は、製造精度の程度により、適宜、設定することができる。
通常、δ２は、「｛（ Ｗ２ − Ｗ１ ） ÷ ２ ｝」の０〜１０％程度の範囲で適宜設定されるが、好ましくは０〜１０％、より好ましくは０〜５％、さらに好ましくは０〜３％、最も好ましくは０％である。
ｗ２ ＝ ｛（ Ｗ２ − Ｗ１ ） ÷ ２ ｝ ± δ２
図９（ロ）は、図２Ｗ部分の Ｃ−Ｃ 矢視図である。
２Ｂは、戸当り側面部嵌合凸部（弾性体製ボタン）であり、材質は、通常、プラスチック、又は、ゴムである。
【００２１】
図１０に、実施例１における戸当り側面部（２Ｓ）の構造を示した。
ドアパネルをスライドすることにより、戸当り側面部嵌合凸部（２Ｂ）と戸先（１）が嵌合する過程を示した。
図１０は、図２Ｗ部分断面図を矢印方向から俯瞰（Ｂ−Ｂ 矢視図）ものである。
図１０（イ）は嵌合前、図１０（ロ）は嵌合後を示したものである。
【実施例２】
【００２２】
実施例２として、図１１に、本発明における形態の一態様における戸当り側面部（２Ｓ）の構造を示した。
図１１に、戸当り側面部嵌合凸部（２Ｂ）の設置中心位置（ｄ２）と突出長（ｗ２）を示した。
図１１は、図２Ｗ部分断面図を矢印方向から俯瞰したものである。
図１１（イ）は、図２Ｗ部分の Ｂ−Ｂ 矢視図である。
図１１（ロ）は、図２Ｗ部分の Ｃ−Ｃ 矢視図である。
２Ｂ’は、戸当り側面部嵌合凸部（弾性体製ローラー）である。
弾性体は、特に限定されるものではないが、通常、プラスチック、又は、ゴムが好ましく使用される。
【００２３】
図１２に、実施例２における戸当り側面部（２Ｓ）の構造を示した。
ドアパネルのスライドにより、戸当り側面部嵌合凸部（２Ｂ）と戸先（１）の嵌合の過程を示した。
図１２は、図２Ｗ部分断面図を矢印方向から俯瞰（Ｂ−Ｂ 矢視図）したものである。
図１２（イ）は嵌合前、図１２（ロ）は嵌合後である。
２Ｂ’は、戸当り側面部嵌合凸部（弾性体製ローラー）である。
弾性体は、特に限定されるものではないが、通常、プラスチック、又は、ゴムが好ましく使用される。
【実施例３】
【００２４】
実施例３として、図１３に、本発明における形態の一態様における戸当り側面部（２Ｓ）の構造を示した。
図１３に、戸当り側面部嵌合凸部（２Ｂ）の設置中心位置（ｄ２）と突出長（ｗ２）を示した。
図１３は、図２Ｗ部分断面図を矢印方向から俯瞰したものである。
図１３（イ）は嵌合前、図１３（ロ）は嵌合後である。
ブロック矢印の方向は、戸先が押す方向（ドアパネルのスライド方向）を示す。
図１３（イ）に示した如く、戸先正面部（１Ｆ）がバンパー（Ｘ）の前端部（ｘ１）に衝突する。
図１３（ロ）に示した如く、衝突により、バンパー（Ｘ）が後退方向に後退し、バンパー（Ｘ）の後端部（ｘ２）が、レバー（Ｙ）の力点（ｙ１）を押して、梃子の原理により、ラッチ（ｙ３）がロック方向に移動して、戸先側面部（１Ｓ）を挟むようにグリップする。
【００２５】
図１４に、実施例３における戸当り側面部（２Ｓ）の構造を示した。
図１４は、図２Ｗ部分断面図を矢印方向から俯瞰したものである。
主要な構成要素は、次のとおりである。
Ｘ；バンパー
ｘ１；前端部
ｘ２；後端部
Ｙ；レバー
ｙ１；力点
ｙ２；支点
ｙ３；作用点（ラッチ）
Ｚ；弾性体
ｚ１；バンパー押圧弾性体
ｚ２；レバー押圧弾性体
バンパー（Ｘ）の材質は、特に限定されるものではないが、一般的には、プラスチック又はゴムが好ましく使用される。
プラスチックとしては、耐衝撃性に優れたポリカーボネート等のエンジニアリングプラスチックが好ましく使用される。
ゴムとしては、硬質ゴム、又は、軟質ゴムが好ましく使用される。
パンパー（Ｘ）の本体として、プラスチックを使用する場合には、前端部（ｘ１）は、衝撃性を抑制したり、滑りを防止するために摩擦抵抗を高めたり、傷を付けることを抑制するために、ゴムキャップを被せたり、ゴムで被覆しても良い。
レバー（Ｙ）の材質は、特に限定されるものではないが、一般的には、プラスチックが好ましく使用される。
プラスチックとしては、耐衝撃性に優れたポリカーボネート等のエンジニアリングプラスチックが好ましく使用される。
作用点（ラッチ）（ｙ３）は、衝撃性を抑制したり、滑りを防止するために摩擦抵抗を高めたり、傷を付けることを抑制するために、軟質ゴムキャップを被せたり、軟質ゴムで被覆しても良い。
【００２６】
図１５に、実施例３における戸当り側面部（２Ｓ）の構造を示した。
図１５に、戸当り側面部嵌合凸部（２Ｂ）の設置中心位置（ｄ２）と突出長（ｗ２）を示した。
図１５は、図２Ｗ部分断面図を矢印方向から俯瞰したものである。
図１５（イ）は図２Ｗ部分の Ｂ−Ｂ 矢視図であり、図１５（ロ）は図２Ｗ部分の Ｃ−Ｃ 矢視図である。
２Ｂ”は、戸当り側面部嵌合凸部（（プラスチック、ゴム等）である。
【実施例４】
【００２７】
実施例４として、図１６に、本発明における形態の一態様における戸先側面部（１Ｓ）の構造を示した。
図１６に、戸先側面部嵌合凸部（１Ｂ）の設置中心位置（ｄ１）と突出長（ｗ１）を示した。
図１６は、図２Ｗ部分断面図を矢印方向から俯瞰したものである。
図１６（イ）は図２Ｗ部分の Ｂ−Ｂ 矢視図であり、図１６（ロ）は図２Ｗ部分の Ｃ−Ｃ 矢視図である。
１Ｂは、戸先側面部嵌合凸部（弾性体製ボタン）である。
弾性体は、特に限定されるものではないが、通常、プラスチック、又は、ゴムが好ましく使用される。
【実施例５】
【００２８】
実施例５として、図１７に、本発明における形態の一態様における戸先側面部（１Ｓ）の構造を示した。
図１７に、戸先側面部嵌合凸部（１Ｂ）の設置中心位置（ｄ１）と突出長（ｗ１）を示した。
図１７は、図２Ｗ部分断面図を矢印方向から俯瞰したものである。
図１７（イ）は図２Ｗ部分の Ｂ−Ｂ 矢視図であり、図１７（ロ）は図２Ｗ部分の Ｃ−Ｃ 矢視図である。  １Ｂ’は、戸先側面部嵌合凸部（弾性体製ローラー）である。
弾性体は、特に限定されるものではないが、通常、プラスチック、又は、ゴムが好ましく使用される。
【実施例６】
【００２９】
実施例６として、図１８に、本発明における形態の一態様における戸先側面部（１Ｓ）の構造を示した。
図１８に、戸先側面部嵌合凸部（１Ｂ）の設置中心位置（ｄ１）と突出長（ｗ１）を示した。
図１８は、図２Ｗ部分断面図を矢印方向から俯瞰したものである。
図１８（イ）に嵌合前の状態、図１８（ロ）に嵌合後の状態を、それぞれ、示した。
ブロック矢印の方向は、戸先が押す方向（ドアパネルのスライド方向）を示す。
図１８（イ）に示す如く、戸当り正面部（２Ｆ）がバンパー（Ｘ’）の前端部（ｘ１’）に衝突する。
図１８（ロ）に示す如く、衝突により、バンパー（Ｘ’）が後退方向に後退し、バンパー（Ｘ’）の後端部（ｘ２’）が、レバー（Ｙ’）の摺動部（ｙ１’）を押して、ラッチ（ｙ３’）がガイド（ｙ２’）に沿ってせり上がり、ラッチ（ｙ３’）がロック方向に移動して、戸当り側面部（２Ｓ）を内側から外側に向かって押圧してグリップする。
【００３０】
図１９に、実施例６における戸先側面部（１Ｓ）の構造を示した。
図１９は、図２Ｗ部分断面図を矢印方向から俯瞰したものである。
戸当り正面部（２Ｆ）がバンパー（Ｘ’）の前端部（ｘ１’）に衝突することにより、バンパー（Ｘ’）が後退方向に後退し、バンパー（Ｘ’）の後端部（ｘ２’）が、レバー（Ｙ’）の摺動部（ｙ１’）を押して、ラッチ（ｙ３’）がガイド（ｙ２’）に沿ってせり上がり、ラッチ（ｙ３’）がロック方向に移動して、戸当り側面部（２Ｓ）を内側から外側に向かって押圧してグリップする。
主要な構成要素は、次のとおりである。
Ｘ’；バンパー
ｘ１’；前端部
ｘ２’；後端部
Ｙ’；レバー
ｙ１’；摺動部
ｙ２’；ガイド
ｙ３’；ラッチ
Ｚ’；弾性体
ｚ１’；バンパー押込弾性体
ｚ２’；レバー引張弾性体
バンパー（Ｘ’）の材質は、特に限定されるものではないが、一般的には、プラスチック又はゴムが好ましく使用される。
プラスチックとしては、耐衝撃性に優れたポリカーボネート等のエンジニアリングプラスチックが好ましく使用される。
ゴムとしては、硬質ゴム、又は、軟質ゴムが好ましく使用される。
パンパー（Ｘ’）の本体として、プラスチックを使用する場合には、前端部（ｘ１）は、衝撃性を抑制したり、滑りを防止するために摩擦抵抗を高めたり、傷を付けることを抑制するために、ゴムキャップを被せたり、ゴムで被覆しても良い。
バンパー（Ｘ’）の後端部（ｘ２’）は、摺動部（ｙ１’）との滑らかな摺動を実現するために、摺動性に優れたポリオキシメチレン等のポリアセタール樹脂、ポリ４フッ化ポリエチレン（ＰＴＦＥ）等のフッ素樹脂が好ましく用いられる。
レバー（Ｙ’）の材質は、特に限定されるものではないが、一般的には、プラスチックが好ましく使用される。
プラスチックとしては、耐衝撃性に優れたポリカーボネート等のエンジニアリングプラスチックが好ましく使用される。
摺動部（ｙ１’）は、バンパー（Ｘ’）の後端部（ｘ２’）との滑らかな摺動を実現するために、摺動性に優れたポリオキシメチレン等のポリアセタール樹脂、ポリ４フッ化ポリエチレン（ＰＴＦＥ）等のフッ素樹脂が好ましく用いられる。
ガイド（ｙ２’は、）は、滑らかな往復摺動を実現するために、摺動性に優れたポリオキシメチレン等のポリアセタール樹脂、ポリ４フッ化ポリエチレン（ＰＴＦＥ）等のフッ素樹脂が好ましく用いられる。
作用点（ラッチ）（ｙ３’）は、衝撃性を抑制したり、滑りを防止するために摩擦抵抗を高めたり、傷を付けることを抑制するために、軟質ゴムキャップを被せたり、軟質ゴムで被覆しても良い。
【００３１】
図２０に、実施例６における戸先側面部（１Ｓ）の構造を示した。
図２０に、戸先側面部嵌合凸部（１Ｂ）の設置中心位置（ｄ１）と突出長（ｗ１）を締めした。
図２０は、図２Ｗ部分断面図を矢印方向から俯瞰したものである。
図２０（イ）は図２Ｗ部分の Ｂ−Ｂ 矢視図であり、図２０（ロ）は図２Ｗ部分の Ｃ−Ｃ 矢視図である。
ｙ３’は、戸先側面部嵌合凸部（ラッチ（プラスチック、ゴム等））である。
【実施例７】
【００３２】
実施例７として、図２１に、本発明における形態の一態様における戸先部（１）用のアダプター（Ｑ１）の形状を示した。
図２１に、アダプター凸部（ｑ１）の突出長（ｗ１）を示した。
図２１は、図２Ｗ部分断面図を矢印方向から俯瞰したものである。
図２１（イ）は形状を規定するパラメーター、図２１（ロ）はアダプター（Ｑ１）の斜視図、図２１（ハ）は戸先（１）にアダプター（Ｑ１）を装着した状態の斜視図である。
実施例７において、形状を規定する主要なパラメーターは次のとおりである。
Ｗ１   戸先幅（ｍｍ）
Ｗ２   戸当り幅（ｍｍ）
ｄ１   戸先側ストッパー中心設置位置（ｍｍ）
ｄ２   戸当り側ストッパー中心設置位置（ｍｍ）
ｗ１  戸先側ストッパー突出長（ｍｍ）
ｗ１ ＝ ｛（ Ｗ２ − Ｗ１ ） ÷ ２ ｝ ± δ１
【実施例８】
【００３３】
実施例８として、図２２に、本発明における形態の一態様における戸当り凹部（２’）用のアダプター（Ｑ２）の形状を示した。
図２２に、アダプター凹部（ｑ２）の突出長（ｗ２）を示した。
図２２は、図２Ｗ部分断面図を矢印方向から俯瞰したものである。
図２２（イ）は形状を規定するパラメーター、図２２（ロ）はアダプター（Ｑ２）の斜視図、図２２（ハ）は戸当り凹部（２’）にアダプター（Ｑ２）を装着した状態の斜視図である。
実施例８において、形状を規定する主要なパラメーターは次のとおりである。
Ｗ１   戸先幅（ｍｍ）
Ｗ２   戸当り幅（ｍｍ）
ｄ１   戸先側ストッパー中心設置位置（ｍｍ）
ｄ２   戸当り側ストッパー中心設置位置（ｍｍ）
ｗ２  戸当り側ストッパー突出長（ｍｍ）
ｗ２ ＝ ｛（ Ｗ２ − Ｗ１ ） ÷ ２ ｝ ± δ２
【実施例９】
【００３４】
実施例９として、図２３に、本発明における形態の一態様における戸当り凹部（２’）用のアダプター（Ｑ２’）の形状を示した。
図２３に、アダプター凹部（ｑ２’）の突出長（ｗ２）を示した。
図２３は、図２Ｗ部分断面図を矢印方向から俯瞰したものである。
図２３（イ）は形状を規定するパラメーター、図２３（ロ）はアダプター（Ｑ２’）の斜視図、図２３（ハ）は戸当り凹部（２’）にアダプター（Ｑ２’）を装着した状態の斜視図である。
実施例９において、形状を規定する主要なパラメーターは次のとおりである。
Ｗ１   戸先幅（ｍｍ）
Ｗ２   戸当り幅（ｍｍ）
ｄ１   戸先側ストッパー中心設置位置（ｍｍ）
ｄ２   戸当り側ストッパー中心設置位置（ｍｍ）
ｗ２  戸当り側ストッパー突出長（ｍｍ）
ｗ２ ＝ ｛（ Ｗ２ − Ｗ１ ） ÷ ２ ｝ ± δ２
Ｒ    フランジ（鍔）
【図面の簡単な説明】
【００３５】
【図１】従来技術におけるスライドドアの基本構造。    １     戸先    １ｆ   戸先（開口側）    １ｒ   戸先（戸袋側）    ２     戸当り    ２ｆ   戸当り（開口側）    ２ｒ   戸当り（戸袋側）  １１     ３方枠体  １１ｕ   上枠  １１ｓ   縦枠  １２     床面  １３     ドアパネル  １４     吊りレール  １７     吊り車  １７ａ   車軸  １７ｂ   吊り下げ軸  ２０     ハンドル  Ａ−Ａ  切断面矢視図  Ｂ−Ｂ  切断面矢視図  Ｃ−Ｃ  切断面矢視図  Ｗ      拡大断面図で図示する部分  ブロック矢印（左向き）  Ａ−Ａ  切断面矢視図の俯瞰方向  ブロック矢印（下向き）  Ｂ−Ｂ  切断面矢視図の俯瞰方向
【図２】従来技術におけるスライドドアの基本構造。    １     戸先    １ｆ   戸先（開口側）    １ｒ   戸先（戸袋側）    ２     戸当り    ２ｆ   戸当り（開口側）    ２ｒ   戸当り（戸袋側）  １１     ３方枠体  １１ｕ   上枠  １１ｓ   縦枠  １２     床面  １３     ドアパネル  １４     吊りレール  １７     吊り車  １７ａ   車軸  １７ｂ   吊り下げ軸  ２０     ハンドル  Ａ−Ａ  切断面矢視図  Ｂ−Ｂ  切断面矢視図  Ｃ−Ｃ  切断面矢視図  Ｗ      拡大断面図で図示する部分  ブロック矢印（左向き）  Ａ−Ａ  切断面矢視図の俯瞰方向  ブロック矢印（右向き）  Ｃ−Ｃ  切断面矢視図の俯瞰方向
【図３】図１のＶ部分を矢印方向から俯瞰した断面図（図１の Ａ−Ａ 矢視図）。  １１ｕ 上枠  １３   ドアパネル  １４   吊りレール  １７   吊り車  １７ａ 車軸  １７ｂ 吊り下げ軸  ４１   取付用フラットバー
【図４】従来技術における戸先（１）と戸当り（２）の基本構造。         図１のＷ部分を矢印方向から俯瞰した断面図（図１の Ｂ−Ｂ 矢視図）。（イ）基本構造  １Ｆ    戸先正面部  １Ｓ    戸先側面部  ２Ｆ    戸当り正面部  ２Ｓ    戸当り側面部  １３    ドアパネル  ２３    戸当り枠        （縦枠（１１ｓ））（ロ）部分の名称    １    戸先    ２    戸当り    ２’  戸当り凹部  １３    ドアパネル  ２３    戸当り枠        （縦枠（１１ｓ））
【図５】従来技術におけるスライドドアの戸先（１）と戸当り（２）の部分の問題点。          図１のＷ部分を矢印方向から俯瞰した断面図（図１の Ｂ−Ｂ矢視図）。          スライド方向（Ｘ方向）と水平方向（Ｚ方向）の両方向にガタツキが          発生する。
【図６】図６ 本発明におけるスライドドアの基本構造。          本発明の構成要件（戸先（１）、戸当り（２）、戸当り凹部（２’）、及び、          ストッパー（３））          図１のＷ部分を矢印方向から俯瞰した断面図〜図１の Ｂ−Ｂ 矢視図。（イ）本発明の構成要件  １    戸先  ２    戸当り  ２’  戸当り凹部  ３    ストッパー  ３’  ストッパー中央部（ストッパー最突出部）（ロ）戸先（１）と戸当り（２）の基本構造   １Ｆ    戸先正面部  １Ｓ    戸先側面部  ２Ｆ    戸当り正面部  ２Ｓ    戸当り側面部（ハ）本発明の構成要件の位置と形状を規定するパラメーター  Ｗ２   戸当り幅（ｍｍ）  Ｄ２   戸当り奥行長（ｍｍ）  ｄ２   戸当り側ストッパー中心設置位置（ｍｍ）  Ｗ１   戸先幅（ｍｍ）  ｄ１   戸先側ストッパー中心設置位置（ｍｍ）
【図７】本発明におけるスライドドアの戸先（１）と戸当り（２）の          基本構造（その１）。          図１のＷ部分を矢印方向から俯瞰した断面図（図１の Ｂ−Ｂ 矢視図）。（イ）長さ方向のパラメーター  １Ｓ  戸先側面部  ２Ｓ  戸当り側面部  Ｄ２   戸当り奥行長（ｍｍ）  ｄ２   戸当り側ストッパー中心設置位置（ｍｍ）  ｄ１   戸先側ストッパー中心設置位置（ｍｍ）（ロ）幅方向のパラメーター  １Ｓ  戸先側面部  ２Ｓ  戸当り側面部  Ｗ１   戸先幅（ｍｍ）  Ｗ２   戸当り幅（ｍｍ）
【図８】本発明におけるスライドドアの戸先（１）と戸当り（２）の          基本構造（その２）。         図１のＷ部分を矢印方向から俯瞰した断面図（図１の Ｂ−Ｂ 矢視図）。（イ）長さ方向のパラメーター  Ｄ２   戸当り奥行長（ｍｍ）  ｄ２   戸当り側ストッパー中心設置位置（ｍｍ）  ｄ１   戸先側ストッパー中心設置位置（ｍｍ）（ロ）幅方向のパラメーター  Ｗ１   戸先幅（ｍｍ）  Ｗ２   戸当り幅（ｍｍ）（ハ）パラメーター計算式    戸先側ストッパー突出長（ｍｍ）        ｗ１ ＝ ｛（ Ｗ２ − Ｗ１ ） ÷ ２ ｝ ± δ１      戸当り側ストッパー突出長（ｍｍ）        ｗ２ ＝ ｛（ Ｗ２ − Ｗ１ ） ÷ ２ ｝ ± δ２
【図９】実施例１における戸当り側面部（２Ｓ）の構造。          戸当り側面部嵌合凸部（２Ｂ）の設置中心位置(ｄ２)と突出長(ｗ２)。          図２Ｗ部分断面図を矢印方向から俯瞰。（イ）図２Ｗ部分の Ｂ−Ｂ 矢視図    ｄ２   戸当り側ストッパー中心設置位置（ｍｍ）    ｗ２    戸当り側ストッパー突出長（ｍｍ）    ｗ２ ＝ ｛（ Ｗ２ − Ｗ１ ） ÷ ２ ｝ ± δ２（ロ）図２Ｗ部分の Ｃ−Ｃ 矢視図    ２Ｂ  戸当り側面部嵌合凸部（弾性体製ボタン）
【図１０】実施例１における戸当り側面部（２Ｓ）の構造。            スライドによる戸当り側面部嵌合凸部（２Ｂ）と戸先（１）の嵌合。            図２Ｗ部分断面図を矢印方向から俯瞰（Ｂ−Ｂ 矢視図）。（イ）嵌合前（ロ）嵌合途中（ハ）嵌合後    ｄ２   戸当り側ストッパー中心設置位置（ｍｍ）    ｗ２    戸当り側ストッパー突出長（ｍｍ）    ｗ２ ＝ ｛（ Ｗ２ − Ｗ１ ） ÷ ２ ｝ ± δ２    ２Ｂ  戸当り側面部嵌合凸部（弾性体製ボタン）
【図１１】実施例２における戸当り側面部（２Ｓ）の構造。            戸当り側面部嵌合凸部（２Ｂ）の設置中心位置（ｄ２）と突出長（ｗ２）。            図２Ｗ部分断面図を矢印方向から俯瞰。（イ）図２Ｗ部分の Ｂ−Ｂ 矢視図（ロ）図２Ｗ部分の Ｃ−Ｃ 矢視図    ２Ｂ’；戸当り側面部嵌合凸部（弾性体製ローラー）。
【図１２】実施例２における戸当り側面部（２Ｓ）の構造。            スライドによる戸当り側面部嵌合凸部（２Ｂ）と戸先（１）の嵌合。            図２Ｗ部分断面図を矢印方向から俯瞰（Ｂ−Ｂ 矢視図）。（イ）嵌合前（ロ）嵌合途中（ハ）嵌合後    ２Ｂ’；戸当り側面部嵌合凸部（弾性体製ローラー）。
【図１３】実施例３における戸当り側面部（２Ｓ）の構造。            戸当り側面部嵌合凸部（２Ｂ）の設置中心位置（ｄ２）と突出長（ｗ２）。            図２Ｗ部分断面図を矢印方向から俯瞰。（イ）嵌合前（ロ）嵌合後  ブロック矢印の方向は、戸先が押す方向（ドアパネルのスライド方向）を示す。  （イ） 戸先正面部（１Ｆ）がバンパー（Ｘ）の前端部（ｘ１）に衝突する。  （ロ） 衝突により、バンパー（Ｘ）が後退方向に後退し、バンパー（Ｘ）の後端部（ｘ２）が、レバー（Ｙ）の力点（ｙ１）を押して、梃子の原理により、ラッチ（ｙ３）がロック方向に移動して、戸先側面部（１Ｓ）を挟むようにグリップする。
【図１４】実施例３における戸当り側面部（２Ｓ）の構造。            図２Ｗ部分断面図を矢印方向から俯瞰。  Ｘ；バンパー  ｘ１；前端部  ｘ２；後端部  Ｙ；レバー  ｙ１；力点  ｙ２；支点  ｙ３；作用点（ラッチ）  Ｚ；弾性体  ｚ１；バンパー押圧弾性体  ｚ２；レバー押圧弾性体
【図１５】実施例３における戸当り側面部（２Ｓ）の構造。            戸当り側面部嵌合凸部（２Ｂ）の設置中心位置（ｄ２）と突出長（ｗ２）。            図２Ｗ部分断面図を矢印方向から俯瞰。（イ）図２Ｗ部分の Ｂ−Ｂ 矢視図（ロ）図２Ｗ部分の Ｃ−Ｃ 矢視図  ２Ｂ”；戸当り側面部嵌合凸部（（プラスチック、ゴム等））。
【図１６】実施例４における戸先側面部（１Ｓ）の構造。            戸先側面部嵌合凸部（１Ｂ）の設置中心位置（ｄ１）と突出長（ｗ１）。            図２Ｗ部分断面図を矢印方向から俯瞰。（イ）図２Ｗ部分の Ｂ−Ｂ 矢視図（ロ）図２Ｗ部分の Ｃ−Ｃ 矢視図  １Ｂ；戸先側面部嵌合凸部（弾性体製ボタン）。
【図１７】実施例５における戸先側面部（１Ｓ）の構造。            戸先側面部嵌合凸部（１Ｂ）の設置中心位置（ｄ１）と突出長（ｗ１）。            図２Ｗ部分断面図を矢印方向から俯瞰。  １Ｂ’；戸先側面部嵌合凸部（弾性体製ローラー）
【図１８】実施例６における戸先側面部（１Ｓ）の構造。            戸先側面部嵌合凸部（１Ｂ）の設置中心位置（ｄ１）と突出長（ｗ１）。            図２Ｗ部分断面図を矢印方向から俯瞰。（イ）嵌合前（ロ）嵌合後  ブロック矢印の方向は、戸先が押す方向（ドアパネルのスライド方向）を示す。  （イ） 戸当り正面部（２Ｆ）がバンパー（Ｘ’）の前端部（ｘ１’）に衝突する。  （ロ） 衝突により、バンパー（Ｘ’）が後退方向に後退し、バンパー（Ｘ’）の後端部（ｘ２’）が、レバー（Ｙ’）の摺動部（ｙ１’）を押して、ラッチ（ｙ３’）がガイド（ｙ２’）に沿ってせり上がり、ラッチ（ｙ３’）がロック方向に移動して、戸当り側面部（２Ｓ）を内側から外側に向かって押圧してグリップする。
【図１９】実施例６における戸先側面部（１Ｓ）の構造。            図２Ｗ部分断面図を矢印方向から俯瞰。  戸当り正面部（２Ｆ）がバンパー（Ｘ’）の前端部（ｘ１’）に衝突することにより、バンパー（Ｘ’）が後退方向に後退し、バンパー（Ｘ’）の後端部（ｘ２’）が、レバー（Ｙ’）の摺動部（ｙ１’）を押して、ラッチ（ｙ３’）がガイド（ｙ２’）に沿ってせり上がり、ラッチ（ｙ３’）がロック方向に移動して、戸当り側面部（２Ｓ）を内側から外側に向かって押圧してグリップする。  Ｘ’；バンパー  ｘ１’；前端部  ｘ２’；後端部  Ｙ’；レバー  ｙ１’；摺動部  ｙ２’；ガイド  ｙ３’；ラッチ  Ｚ’；弾性体  ｚ１’；バンパー押込弾性体  ｚ２’；レバー引張弾性体
【図２０】実施例６における戸先側面部（１Ｓ）の構造。            戸先側面部嵌合凸部（１Ｂ）の設置中心位置（ｄ１）と突出長（ｗ１）。            図２Ｗ部分断面図を矢印方向から俯瞰。（イ）図２Ｗ部分の Ｂ−Ｂ 矢視図（ロ）図２Ｗ部分の Ｃ−Ｃ 矢視図  ２Ｂ”；戸当り側面部嵌合凸部（ラッチ（プラスチック、ゴム等））
【図２１】実施例７における戸先部（１）用のアダプター（Ｑ１）の形状。            アダプター凸部（ｑ１）の突出長（ｗ１）。            図２Ｗ部分断面図を矢印方向から俯瞰。（イ）形状を規定するパラメーター（ロ）アダプター（Ｑ１）の斜視図（ハ）戸先（１）にアダプター（Ｑ１）を装着した状態の斜視図  Ｗ１   戸先幅（ｍｍ）  Ｗ２   戸当り幅（ｍｍ）  ｄ１   戸先側ストッパー中心設置位置（ｍｍ）  ｄ２   戸当り側ストッパー中心設置位置（ｍｍ）  ｗ１  戸先側ストッパー突出長（ｍｍ）  ｗ１ ＝ ｛（ Ｗ２ − Ｗ１ ） ÷ ２ ｝ ± δ１
【図２２】実施例８における戸当り凹部（２’）用のアダプター（Ｑ２）の形状。            アダプター凹部（ｑ２）の突出長（ｗ２）。            図２Ｗ部分断面図を矢印方向から俯瞰。（イ）形状を規定するパラメーター（ロ）アダプター（Ｑ２）の斜視図（ハ）戸当り凹部（２’）にアダプター（Ｑ２）を装着した状態の斜視図  Ｗ１   戸先幅（ｍｍ）  Ｗ２   戸当り幅（ｍｍ）  ｄ１   戸先側ストッパー中心設置位置（ｍｍ）  ｄ２   戸当り側ストッパー中心設置位置（ｍｍ）  ｗ２  戸当り側ストッパー突出長（ｍｍ）  ｗ２ ＝ ｛（ Ｗ２ − Ｗ１ ） ÷ ２ ｝ ± δ２
【図２３】実施例９における戸当り凹部（２’）用のアダプター（Ｑ２’）の形状。            アダプター凹部（ｑ２’）の突出長（ｗ２）。            図２Ｗ部分断面図を矢印方向から俯瞰。（イ）形状を規定するパラメーター（ロ）アダプター（Ｑ２’）の斜視図（ハ）戸当り凹部（２’）にアダプター（Ｑ２’）を装着した状態の斜視図  Ｗ１   戸先幅（ｍｍ）  Ｗ２   戸当り幅（ｍｍ）  ｄ１   戸先側ストッパー中心設置位置（ｍｍ）  ｄ２   戸当り側ストッパー中心設置位置（ｍｍ）  ｗ２  戸当り側ストッパー突出長（ｍｍ）  ｗ２ ＝ ｛（ Ｗ２ − Ｗ１ ） ÷ ２ ｝ ± δ２  Ｒ    フランジ（鍔）
【符号の説明】
【００３６】
［１］  従来技術におけるスライドドアの基本構造。
１     戸先
１ｆ   戸先（開口側）
１ｒ   戸先（戸袋側）
２     戸当り
２’  戸当り凹部
２ｆ   戸当り（開口側）
２ｒ   戸当り（戸袋側）
１１     ３方枠体
１１ｕ   上枠
１１ｓ   縦枠
１２     床面
１３     ドアパネル
１４     吊りレール
１７     吊り車
１７ａ   車軸
１７ｂ   吊り下げ軸
２０     ハンドル
２３    戸当り枠（縦枠（１１ｓ））
４１   取付用フラットバー
Ａ−Ａ  切断面矢視図
Ｂ−Ｂ  切断面矢視図
Ｃ−Ｃ  切断面矢視図
Ｗ      拡大断面図で図示する部分
Ｘ方向  スライド方向
Ｙ方向  鉛直方向
Ｚ方向  水平方向
ブロック矢印（左向き）  Ａ−Ａ  切断面矢視図の俯瞰方向
ブロック矢印（下向き）  Ｂ−Ｂ  切断面矢視図の俯瞰方向
ブロック矢印（右向き）  Ｃ−Ｃ  切断面矢視図の俯瞰方向
［２］  本発明におけるスライドドアに関連する基本構造。
１  戸先
２  戸当り
２’  戸当り凹部
３    ストッパー
３’  ストッパー中央部（ストッパー最突出部）
１Ｂ  戸先側面部嵌合凸部（実施例４）
（弾性体（プラスチック、ゴム等）製ボタン）
１Ｂ’  戸先側面部嵌合凸部（実施例５）
（弾性体（プラスチック、ゴム等）製ローラー）
１Ｂ”  戸先側面部嵌合凸部（実施例６）
（ラッチ（弾性体（プラスチック、ゴム等）））
２Ｂ  戸当り側面部嵌合凸部（実施例１）
（弾性体（プラスチック、ゴム等）製ボタン）
２Ｂ’  戸当り側面部嵌合凸部（実施例２）
（弾性体（プラスチック、ゴム等）製ローラー）
２Ｂ”  戸当り側面部嵌合凸部（実施例３）
（ラッチ（弾性体（プラスチック、ゴム等）））
１Ｓ  戸先側面部
２Ｓ  戸当り側面部
Ｑ１  アダプター
ｑ１  アダプター凸部
Ｑ２  アダプター
ｑ２  アダプター凹部
Ｑ２’アダプター
ｑ２’アダプター凹部
Ｒ    フランジ（鍔）
［３］  スライドドアの形状・寸法を規定するパラメーター。
（イ）長さ方向のパラメーター
Ｄ２   戸当り奥行長（ｍｍ）
ｄ２   戸当り側ストッパー中心設置位置（ｍｍ）
ｄ１   戸先側ストッパー中心設置位置（ｍｍ）
（ロ）幅方向のパラメーター
Ｗ１   戸先幅（ｍｍ）
Ｗ２   戸当り幅（ｍｍ）
（ハ）パラメーター計算式
ｗ１  戸先側ストッパー突出長（ｍｍ）
δ１  遊び幅、又は、誤差幅
ｗ１ ＝ ｛（ Ｗ２ − Ｗ１ ） ÷ ２ ｝ ± δ１
ｗ２  戸当り側ストッパー突出長（ｍｍ）
δ２  遊び幅、又は、誤差幅
ｗ２ ＝ ｛（ Ｗ２ − Ｗ１ ） ÷ ２ ｝ ± δ２
［４］  実施例３における戸当り側面部（２Ｓ）の構造
Ｘ；バンパー
ｘ１；前端部
ｘ２；後端部
Ｙ；レバー
ｙ１；力点
ｙ２；支点
ｙ３；作用点（ラッチ）（２Ｂ”；戸当り側面部嵌合凸部）
Ｚ；弾性体
ｚ１；バンパー押圧弾性体
ｚ２；レバー押圧弾性体
２Ｂ”  戸当り側面部嵌合凸部（ラッチ（プラスチック、ゴム等））
１Ｓ  戸先側面部
１Ｆ  戸先正面部
［５］  実施例５における戸先側面部（１Ｓ）の構造
Ｘ’；バンパー
ｘ１’；前端部
ｘ２’；後端部
Ｙ’；レバー
ｙ１’；摺動部
ｙ２’；ガイド
ｙ３’；ラッチ（１Ｂ”；戸先側面部嵌合凸部）
Ｚ’；弾性体
ｚ１’；バンパー押込弾性体
ｚ２’；レバー引張弾性体
１Ｂ”  戸先側面部嵌合凸部（ラッチ（弾性体（プラスチック、ゴム等）））
２Ｓ  戸当り側面部
２Ｆ  戸当り正面部
［６］  実施例７におけるアダプターの構造
１  戸先
２  戸当り
Ｑ１  アダプター
ｑ１  アダプター凸部
ｓ１  アダプター最突出部
Ｗ１   戸先幅（ｍｍ）
Ｗ２   戸当り幅（ｍｍ）
ｄ１   戸先側ストッパー中心設置位置（ｍｍ）
ｄ２   戸当り側ストッパー中心設置位置（ｍｍ）
ｗ１  戸先側ストッパー突出長（ｍｍ）
ｗ１ ＝ ｛（ Ｗ２ − Ｗ１ ） ÷ ２ ｝ ± δ１
［７］  実施例８におけるアダプターの構造
１    戸先
２    戸当り
２’  戸当り凹部
Ｑ２  アダプター
ｑ２  アダプター凹部
ｓ２  アダプター最突出部
Ｗ１   戸先幅（ｍｍ）
Ｗ２   戸当り幅（ｍｍ）
ｄ１   戸先側ストッパー中心設置位置（ｍｍ）
ｄ２   戸当り側ストッパー中心設置位置（ｍｍ）
ｗ２  戸当り側ストッパー突出長（ｍｍ）
ｗ２ ＝ ｛（ Ｗ２ − Ｗ１ ） ÷ ２ ｝ ± δ２
［８］  実施例９におけるアダプターの構造
１    戸先
２    戸当り
２’  戸当り凹部
Ｑ２’アダプター
ｑ２’アダプター凹部
ｓ２’アダプター最突出部
Ｒ    フランジ（鍔）
Ｗ１   戸先幅（ｍｍ）
Ｗ２   戸当り幅（ｍｍ）
ｄ１   戸先側ストッパー中心設置位置（ｍｍ）
ｄ２   戸当り側ストッパー中心設置位置（ｍｍ）
ｗ２  戸当り側ストッパー突出長（ｍｍ）
ｗ２ ＝ ｛（ Ｗ２ − Ｗ１ ） ÷ ２ ｝ ± δ２
【図１】
2011185007.tif 000004
【図２】
2011185007.tif 000005
【図３】
2011185007.tif 000006
【図４】
2011185007.tif 000007
【図５】
2011185007.tif 000008
【図６】
2011185007.tif 000009
【図７】
2011185007.tif 000010
【図８】
2011185007.tif 000011
【図９】
2011185007.tif 000012
【図１０】
2011185007.tif 000013
【図１１】
2011185007.tif 000014
【図１２】
2011185007.tif 000015
【図１３】
2011185007.tif 000016
【図１４】
2011185007.tif 000017
【図１５】
2011185007.tif 000018
【図１６】
2011185007.tif 000019
【図１７】
2011185007.tif 000020
【図１８】
2011185007.tif 000021
【図１９】
2011185007.tif 000022
【図２０】
2011185007.tif 000023
【図２１】
2011185007.tif 000024
【図２２】
2011185007.tif 000025
【図２３】
2011185007.tif 000026
【手続補正書】
【提出日】平成22年7月30日(2010.7.30)
【手続補正１】
【補正対象書類名】特許請求の範囲
【補正対象項目名】全文
【補正方法】変更
【補正の内容】
【特許請求の範囲】
【請求項１】
戸先（１）、戸当り（２）、戸当り凹部（２’）、及び、ストッパー（３）を含んで構成され、凸部たる戸先（１）を、戸当り（２）の凹部たる戸当り凹部（２’）に収納することにより、スライドドアを閉止する機構による吊り下げ型スライドドア閉止構造であって、
戸先（１）の形状を規定するパラメーターである戸先幅をＷ１とし、戸当り（２）の形状を規定するパラメーターである戸当たり幅をＷ２とし、戸当り凹部（２’）の形状を規定するパラメーターである戸当り奥行長をＤ２とし、戸先側面部（１Ｓ）の戸先正面部（１Ｆ）から距離ｄ１の位置にストッパー（３）のストッパー中央部（３’）を設け、ストッパー中央部（３’）のストッパー突出長をｗ１、ストッパー遊び幅をδ１としたときに、
以下の数式（１）〜（３）を全て満たすことを特徴とする吊り下げ型スライドドア閉止構造。
ｗ１ ＝ ｛（ Ｗ２ − Ｗ１ ） ÷ ２ ｝ ± δ１                （１）
０  ≦  δ１  ≦  ｛（ Ｗ２ − Ｗ１ ） ÷ ２ ｝ × ０．１    （２）
０  ≦  ｄ１  ≦  Ｄ２                                       （３）
【請求項２】
戸先（１）、戸当り（２）、戸当り凹部（２’）、及び、ストッパー（３）を含んで構成され、凸部たる戸先（１）を、戸当り（２）の凹部たる戸当り凹部（２’）に収納することにより、スライドドアを閉止する機構による吊り下げ型スライドドア閉止構造であって、
戸先（１）の形状を規定するパラメーターである戸先幅をＷ１とし、戸当り（２）の形状を規定するパラメーターである戸当たり幅をＷ２とし、戸当り凹部（２’）の形状を規定するパラメーターである戸当り奥行長をＤ２とし、戸当り側面部（２Ｓ）の戸当り正面部（２Ｆ）から距離ｄ２の位置にストッパー（３）のストッパー中央部（３’）を設け、ストッパー中央部（３’）のストッパー突出長をｗ２、ストッパー遊び幅をδ２としたときに、以下の数式（１）〜（３）を全て満たすことを特徴とする吊り下げ型スライドドア閉止構造。
ｗ２ ＝ ｛（ Ｗ２ − Ｗ１ ） ÷ ２ ｝ ± δ２                （４）
０  ≦  δ２  ≦  ｛（ Ｗ２ − Ｗ１ ） ÷ ２ ｝ × ０．１    （５）
０  ≦  ｄ２  ≦  Ｄ２                                       （６）
【請求項３】
戸先（１）、戸当り（２）、戸当り凹部（２’）、及び、ストッパー（３）を含んで構成され、凸部たる戸先（１）を、戸当り（２）の凹部たる戸当り凹部（２’）に収納することにより、スライドドアを閉止する機構によるスライドドア閉止構造であって、
戸当り凹部（２’）は、戸当たり凹部の底面たる戸当り正面部（２Ｆ）と、戸当たり凹部の内部側面たる戸当たり側面部（２Ｓ）から構成され、
戸先（１）の形状を規定するパラメーターである戸先幅をＷ１とし、戸当り（２）の形状を規定するパラメーターである戸当たり幅をＷ２とし、戸当り凹部（２’）の形状を規定するパラメーターである戸当り奥行長をＤ２とし、戸先側面部（１Ｓ）の戸先正面部（１Ｆ）から距離ｄ１の位置にストッパー（３）のストッパー中央部（３’）を設け、ストッパー中央部（３’）のストッパー突出長をｗ１、ストッパー遊び幅をδ１としたときに、
以下の数式（１）〜（３）を全て満たし、且つ、戸当たり正面部（２Ｆ）がバンパー（Ｘ’）の前端部（ｘ１’）に衝突することにより、バンパー（Ｘ’）が後退方向に後退し、バンパー（Ｘ’）の後端部（ｘ２’）がレバー（Ｙ’）の一端に設けてある摺動部（ｙ１’）を押すことにより、レバー（Ｙ’）がその中央部に設けてあるガイド（ｙ２’）に沿って、レバー（Ｙ’）の他端に設けてあるラッチ（ｙ３’）がせり上がり、
ストッパー（３）としてのラッチ（ｙ３’）がロック方向に移動して、戸当たり側面部（２Ｓ）を内側から外側に向かって押圧してグリップすることを特徴とするスライドドア閉止構造。
ｗ１ ＝ ｛（ Ｗ２ − Ｗ１ ） ÷ ２ ｝ ± δ１                （１）
０  ≦  δ１  ≦  ｛（ Ｗ２ − Ｗ１ ） ÷ ２ ｝ × ０．１    （２）
０  ≦  ｄ１  ≦  Ｄ２                                       （３）
【請求項４】
戸先（１）、戸当り（２）、戸当り凹部（２’）、及び、ストッパー（３）を含んで構成され、凸部たる戸先（１）を、戸当り（２）の凹部たる戸当り凹部（２’）に収納することにより、スライドドアを閉止する機構によるスライドドア閉止構造であって、
戸当り凹部（２’）は、戸当たり凹部の底面たる戸当り正面部（２Ｆ）と、戸当たり凹部の内部側面たる戸当たり側面部（２Ｓ）から構成され、
戸先（１）の形状を規定するパラメーターである戸先幅をＷ１とし、戸当り（２）の形状を規定するパラメーターである戸当たり幅をＷ２とし、戸当り凹部（２’）の形状を規定するパラメーターである戸当り奥行長をＤ２とし、戸当り側面部（２Ｓ）の戸当り正面部（２Ｆ）から距離ｄ２の位置にストッパー（３）のストッパー中央部（３’）を設け、ストッパー中央部（３’）のストッパー突出長をｗ２、ストッパー遊び幅をδ２としたときに、以下の数式（１）〜（３）を全て満たし、且つ、戸先正面部（１Ｆ）がバンパー（Ｘ）の前端部（ｘ１）に衝突することにより、バンパー（Ｘ）が後退方向に後退し、
バンパー（Ｘ）の後端部（ｘ２）がレバー（Ｙ）の一端に設けてある力点（ｙ１）を押すことにより、レバー（Ｙ）がその中央部に設けてある支点（ｙ２）を中心として、
梃子の原理により、レバー（Ｙ）の他端に設けてあるラッチ（ｙ３）が回転して、ストッパー（３）としてのラッチ（ｙ３）がロック方向に移動して、戸先側面部（１Ｓ）をグリップすることを特徴とするスライドドア閉止構造。
ｗ２ ＝ ｛（ Ｗ２ − Ｗ１ ） ÷ ２ ｝ ± δ２                （４）
０  ≦  δ２  ≦  ｛（ Ｗ２ − Ｗ１ ） ÷ ２ ｝ × ０．１    （５）
０  ≦  ｄ２  ≦  Ｄ２                                       （６）
【手続補正２】
【補正対象書類名】明細書
【補正対象項目名】０００９
【補正方法】変更
【補正の内容】
【０００９】
［特許請求の範囲］
［請求項１］
戸先（１）、戸当り（２）、戸当り凹部（２’）、及び、ストッパー（３）を含んで構成され、凸部たる戸先（１）を、戸当り（２）の凹部たる戸当り凹部（２’）に収納することにより、スライドドアを閉止する機構による吊り下げ型スライドドア閉止構造であって、戸先（１）の形状を規定するパラメーターである戸先幅をＷ１とし、戸当り（２）の形状を規定するパラメーターである戸当たり幅をＷ２とし、戸当り凹部（２’）の形状を規定するパラメーターである戸当り奥行長をＤ２とし、戸先側面部（１Ｓ）の戸先正面部（１Ｆ）から距離ｄ１の位置にストッパー（３）のストッパー中央部（３’）を設け、ストッパー中央部（３’）のストッパー突出長をｗ１、ストッパー遊び幅をδ１としたときに、以下の数式（１）〜（３）を全て満たすことを特徴とする吊り下げ型スライドドア閉止構造。
ｗ１ ＝ ｛（ Ｗ２ − Ｗ１ ） ÷ ２ ｝ ± δ１                （１）
０  ≦  δ１  ≦  ｛（ Ｗ２ − Ｗ１ ） ÷ ２ ｝ × ０．１    （２）
０  ≦  ｄ１  ≦  Ｄ２                                       （３）
［請求項２］
戸先（１）、戸当り（２）、戸当り凹部（２’）、及び、ストッパー（３）を含んで構成され、凸部たる戸先（１）を、戸当り（２）の凹部たる戸当り凹部（２’）に収納することにより、スライドドアを閉止する機構による吊り下げ型スライドドア閉止構造であって、戸先（１）の形状を規定するパラメーターである戸先幅をＷ１とし、戸当り（２）の形状を規定するパラメーターである戸当たり幅をＷ２とし、戸当り凹部（２’）の形状を規定するパラメーターである戸当り奥行長をＤ２とし、戸当り側面部（２Ｓ）の戸当り正面部（２Ｆ）から距離ｄ２の位置にストッパー（３）のストッパー中央部（３’）を設け、ストッパー中央部（３’）のストッパー突出長をｗ２、ストッパー遊び幅をδ２としたときに、以下の数式（１）〜（３）を全て満たすことを特徴とする吊り下げ型スライドドア閉止構造。
ｗ２ ＝ ｛（ Ｗ２ − Ｗ１ ） ÷ ２ ｝ ± δ２                （４）
０  ≦  δ２  ≦  ｛（ Ｗ２ − Ｗ１ ） ÷ ２ ｝ × ０．１    （５）
０  ≦  ｄ２  ≦  Ｄ２                                       （６）
［請求項３］
戸先（１）、戸当り（２）、戸当り凹部（２’）、及び、ストッパー（３）を含んで構成され、凸部たる戸先（１）を、戸当り（２）の凹部たる戸当り凹部（２’）に収納することにより、スライドドアを閉止する機構によるスライドドア閉止構造であって、戸当り凹部（２’）は、戸当たり凹部の底面たる戸当り正面部（２Ｆ）と、戸当たり凹部の内部側面たる戸当たり側面部（２Ｓ）から構成され、戸先（１）の形状を規定するパラメーターである戸先幅をＷ１とし、戸当り（２）の形状を規定するパラメーターである戸当たり幅をＷ２とし、戸当り凹部（２’）の形状を規定するパラメーターである戸当り奥行長をＤ２とし、戸先側面部（１Ｓ）の戸先正面部（１Ｆ）から距離ｄ１の位置にストッパー（３）のストッパー中央部（３’）を設け、ストッパー中央部（３’）のストッパー突出長をｗ１、ストッパー遊び幅をδ１としたときに、以下の数式（１）〜（３）を全て満たし、且つ、戸当たり正面部（２Ｆ）がバンパー（Ｘ’）の前端部（ｘ１’）に衝突することにより、バンパー（Ｘ’）が後退方向に後退し、バンパー（Ｘ’）の後端部（ｘ２’）がレバー（Ｙ’）の一端に設けてある摺動部（ｙ１’）を押すことにより、レバー（Ｙ’）がその中央部に設けてあるガイド（ｙ２’）に沿って、レバー（Ｙ’）の他端に設けてあるラッチ（ｙ３’）がせり上がり、ストッパー（３）としてのラッチ（ｙ３’）がロック方向に移動して、戸当たり側面部（２Ｓ）を内側から外側に向かって押圧してグリップすることを特徴とするスライドドア閉止構造。
ｗ１ ＝ ｛（ Ｗ２ − Ｗ１ ） ÷ ２ ｝ ± δ１                （１）
０  ≦  δ１  ≦  ｛（ Ｗ２ − Ｗ１ ） ÷ ２ ｝ × ０．１    （２）
０  ≦  ｄ１  ≦  Ｄ２                                       （３）
［請求項４］
戸先（１）、戸当り（２）、戸当り凹部（２’）、及び、ストッパー（３）を含んで構成され、凸部たる戸先（１）を、戸当り（２）の凹部たる戸当り凹部（２’）に収納することにより、スライドドアを閉止する機構によるスライドドア閉止構造であって、戸当り凹部（２’）は、戸当たり凹部の底面たる戸当り正面部（２Ｆ）と、戸当たり凹部の内部側面たる戸当たり側面部（２Ｓ）から構成され、戸先（１）の形状を規定するパラメーターである戸先幅をＷ１とし、戸当り（２）の形状を規定するパラメーターである戸当たり幅をＷ２とし、戸当り凹部（２’）の形状を規定するパラメーターである戸当り奥行長をＤ２とし、戸当り側面部（２Ｓ）の戸当り正面部（２Ｆ）から距離ｄ２の位置にストッパー（３）のストッパー中央部（３’）を設け、ストッパー中央部（３’）のストッパー突出長をｗ２、ストッパー遊び幅をδ２としたときに、以下の数式（１）〜（３）を全て満たし、且つ、戸先正面部（１Ｆ）がバンパー（Ｘ）の前端部（ｘ１）に衝突することにより、バンパー（Ｘ）が後退方向に後退し、バンパー（Ｘ）の後端部（ｘ２）がレバー（Ｙ）の一端に設けてある力点（ｙ１）を押すことにより、レバー（Ｙ）がその中央部に設けてある支点（ｙ２）を中心として、梃子の原理により、レバー（Ｙ）の他端に設けてあるラッチ（ｙ３）が回転して、ストッパー（３）としてのラッチ（ｙ３）がロック方向に移動して、戸先側面部（１Ｓ）をグリップすることを特徴とするスライドドア閉止構造。
ｗ２ ＝ ｛（ Ｗ２ − Ｗ１ ） ÷ ２ ｝ ± δ２                （４）
０  ≦  δ２  ≦  ｛（ Ｗ２ − Ｗ１ ） ÷ ２ ｝ × ０．１    （５）
０  ≦  ｄ２  ≦  Ｄ２                                       （６）
【手続補正３】
【補正対象書類名】明細書
【補正対象項目名】００３６
【補正方法】変更
【補正の内容】
【００３６】
［１］  従来技術における吊り下げ型スライドドアの基本構造。
１     戸先
１ｆ   戸先（開口側）
１ｒ   戸先（戸袋側）
２     戸当り
２’  戸当り凹部
２ｆ   戸当り（開口側）
２ｒ   戸当り（戸袋側）
１１     ３方枠体
１１ｕ   上枠
１１ｓ   縦枠
１２     床面
１３     ドアパネル
１４     吊りレール
１７     吊り車
１７ａ   車軸
１７ｂ   吊り下げ軸
２０     ハンドル
２３    戸当り枠（縦枠（１１ｓ））
４１   取付用フラットバー
Ａ−Ａ  切断面矢視図
Ｂ−Ｂ  切断面矢視図
Ｃ−Ｃ  切断面矢視図
Ｗ      拡大断面図で図示する部分
Ｘ方向  スライド方向
Ｙ方向  鉛直方向
Ｚ方向  水平方向
ブロック矢印（左向き）  Ａ−Ａ  切断面矢視図の俯瞰方向
ブロック矢印（下向き）  Ｂ−Ｂ  切断面矢視図の俯瞰方向
ブロック矢印（右向き）  Ｃ−Ｃ  切断面矢視図の俯瞰方向
［２］  本発明におけるスライドドアに関連する基本構造。
１  戸先
２  戸当り
２’  戸当り凹部
３    ストッパー
３’  ストッパー中央部（ストッパー最突出部）
１Ｂ  戸先側面部嵌合凸部（実施例４）
（弾性体（プラスチック、ゴム等）製ボタン）
１Ｂ’  戸先側面部嵌合凸部（実施例５）
（弾性体（プラスチック、ゴム等）製ローラー）
１Ｂ”  戸先側面部嵌合凸部（実施例６）
（ラッチ（弾性体（プラスチック、ゴム等）））
２Ｂ  戸当り側面部嵌合凸部（実施例１）
（弾性体（プラスチック、ゴム等）製ボタン）
２Ｂ’  戸当り側面部嵌合凸部（実施例２）
（弾性体（プラスチック、ゴム等）製ローラー）
２Ｂ”  戸当り側面部嵌合凸部（実施例３）
（ラッチ（弾性体（プラスチック、ゴム等）））
１Ｓ  戸先側面部
２Ｓ  戸当り側面部
Ｑ１  アダプター
ｑ１  アダプター凸部
Ｑ２  アダプター
ｑ２  アダプター凹部
Ｑ２’アダプター
ｑ２’アダプター凹部
Ｒ    フランジ（鍔）
［３］  スライドドアの形状・寸法を規定するパラメーター。
（イ）長さ方向のパラメーター
Ｄ２   戸当り奥行長（ｍｍ）
ｄ２   戸当り側ストッパー中心設置位置（ｍｍ）
ｄ１   戸先側ストッパー中心設置位置（ｍｍ）
（ロ）幅方向のパラメーター
Ｗ１   戸先幅（ｍｍ）
Ｗ２   戸当り幅（ｍｍ）
（ハ）パラメーター計算式
ｗ１  戸先側ストッパー突出長（ｍｍ）
δ１  遊び幅、又は、誤差幅
ｗ１ ＝ ｛（ Ｗ２ − Ｗ１ ） ÷ ２ ｝ ± δ１
ｗ２  戸当り側ストッパー突出長（ｍｍ）
δ２  遊び幅、又は、誤差幅
ｗ２ ＝ ｛（ Ｗ２ − Ｗ１ ） ÷ ２ ｝ ± δ２
［４］  実施例３における戸当り側面部（２Ｓ）の構造
Ｘ；バンパー
ｘ１；前端部
ｘ２；後端部
Ｙ；レバー
ｙ１；力点
ｙ２；支点
ｙ３；作用点（ラッチ）（２Ｂ”；戸当り側面部嵌合凸部）
Ｚ；弾性体
ｚ１；バンパー押圧弾性体
ｚ２；レバー押圧弾性体
２Ｂ”  戸当り側面部嵌合凸部（ラッチ（プラスチック、ゴム等））
１Ｓ  戸先側面部
１Ｆ  戸先正面部
［５］  実施例６における戸先側面部（１Ｓ）の構造
Ｘ’；バンパー
ｘ１’；前端部
ｘ２’；後端部
Ｙ’；レバー
ｙ１’；摺動部
ｙ２’；ガイド
ｙ３’；ラッチ（１Ｂ”；戸先側面部嵌合凸部）
Ｚ’；弾性体
ｚ１’；バンパー押込弾性体
ｚ２’；レバー引張弾性体
１Ｂ”  戸先側面部嵌合凸部（ラッチ（弾性体（プラスチック、ゴム等）））
２Ｓ  戸当り側面部
２Ｆ  戸当り正面部
［６］  実施例７におけるアダプターの構造
１  戸先
２  戸当り
Ｑ１  アダプター
ｑ１  アダプター凸部
ｓ１  アダプター最突出部
Ｗ１   戸先幅（ｍｍ）
Ｗ２   戸当り幅（ｍｍ）
ｄ１   戸先側ストッパー中心設置位置（ｍｍ）
ｄ２   戸当り側ストッパー中心設置位置（ｍｍ）
ｗ１  戸先側ストッパー突出長（ｍｍ）
ｗ１ ＝ ｛（ Ｗ２ − Ｗ１ ） ÷ ２ ｝ ± δ１
［７］  実施例８におけるアダプターの構造
１    戸先
２    戸当り
２’  戸当り凹部
Ｑ２  アダプター
ｑ２  アダプター凹部
ｓ２  アダプター最突出部
Ｗ１   戸先幅（ｍｍ）
Ｗ２   戸当り幅（ｍｍ）
ｄ１   戸先側ストッパー中心設置位置（ｍｍ）
ｄ２   戸当り側ストッパー中心設置位置（ｍｍ）
ｗ２  戸当り側ストッパー突出長（ｍｍ）
ｗ２ ＝ ｛（ Ｗ２ − Ｗ１ ） ÷ ２ ｝ ± δ２
［８］  実施例９におけるアダプターの構造
１    戸先
２    戸当り
２’  戸当り凹部
Ｑ２’アダプター
ｑ２’アダプター凹部
ｓ２’アダプター最突出部
Ｒ    フランジ（鍔）
Ｗ１   戸先幅（ｍｍ）
Ｗ２   戸当り幅（ｍｍ）
ｄ１   戸先側ストッパー中心設置位置（ｍｍ）
ｄ２   戸当り側ストッパー中心設置位置（ｍｍ）
ｗ２  戸当り側ストッパー突出長（ｍｍ）
ｗ２ ＝ ｛（ Ｗ２ − Ｗ１ ） ÷ ２ ｝ ± δ２
【手続補正書】
【提出日】平成22年12月9日(2010.12.9)
【手続補正１】
【補正対象書類名】特許請求の範囲
【補正対象項目名】全文
【補正方法】変更
【補正の内容】
【特許請求の範囲】
【請求項１】
戸先（１）、戸当り（２）、戸当り凹部（２’）、及び、ストッパー（３）を含んで構成され、凸部たる戸先（１）を、戸当り（２）の凹部たる戸当り凹部（２’）に収納することにより、スライドドアを閉止する機構によるスライドドア閉止構造であって、
戸当り凹部（２’）は、戸当たり凹部の底面たる戸当り正面部（２Ｆ）と、戸当たり凹部の内部側面たる戸当たり側面部（２Ｓ）から構成され、戸先（１）の形状を規定するパラメーターである戸先幅をＷ１とし、戸当り（２）の形状を規定するパラメーターである戸当たり幅をＷ２とし、戸当り凹部（２’）の形状を規定するパラメーターである戸当り奥行長をＤ２とし、戸先側面部（１Ｓ）の戸先正面部（１Ｆ）から距離ｄ１の位置にストッパー（３）のストッパー中央部（３’）を設け、ストッパー中央部（３’）のストッパー突出長をｗ１、ストッパー遊び幅をδ１としたときに、以下の数式（１）〜（３）を全て満たし、
且つ、
戸当たり正面部（２Ｆ）がバンパー（Ｘ’）の前端部（ｘ１’）に衝突することにより、バンパー（Ｘ’）が後退方向に後退し、バンパー（Ｘ’）の後端部（ｘ２’）がレバー（Ｙ’）の一端に設けてある摺動部（ｙ１’）を押すことにより、レバー（Ｙ’）がその中央部に設けてあるガイド（ｙ２’）に沿って、レバー（Ｙ’）の他端に設けてあるラッチ（ｙ３’）がせり上がり、ストッパー（３）としてのラッチ（ｙ３’）がロック方向に移動して、戸当たり側面部（２Ｓ）を内側から外側に向かって押圧してグリップすることを特徴とするスライドドア閉止構造。
ｗ１ ＝ ｛（ Ｗ２ − Ｗ１ ） ÷ ２ ｝ ± δ１                （１）
０  ≦  δ１  ≦  ｛（ Ｗ２ − Ｗ１ ） ÷ ２ ｝ × ０．１    （２）
０  ≦  ｄ１  ≦  Ｄ２                                       （３）
【請求項２】
戸先（１）、戸当り（２）、戸当り凹部（２’）、及び、ストッパー（３）を含んで構成され、凸部たる戸先（１）を、戸当り（２）の凹部たる戸当り凹部（２’）に収納することにより、スライドドアを閉止する機構によるスライドドア閉止構造であって、
戸当り凹部（２’）は、戸当たり凹部の底面たる戸当り正面部（２Ｆ）と、戸当たり凹部の内部側面たる戸当たり側面部（２Ｓ）から構成され、戸先（１）の形状を規定するパラメーターである戸先幅をＷ１とし、戸当り（２）の形状を規定するパラメーターである戸当たり幅をＷ２とし、戸当り凹部（２’）の形状を規定するパラメーターである戸当り奥行長をＤ２とし、戸当り側面部（２Ｓ）の戸当り正面部（２Ｆ）から距離ｄ２の位置にストッパー（３）のストッパー中央部（３’）を設け、ストッパー中央部（３’）のストッパー突出長をｗ２、ストッパー遊び幅をδ２としたときに、
以下の数式（１）〜（３）を全て満たし、
且つ、
戸先正面部（１Ｆ）がバンパー（Ｘ）の前端部（ｘ１）に衝突することにより、バンパー（Ｘ）が後退方向に後退し、バンパー（Ｘ）の後端部（ｘ２）がレバー（Ｙ）の一端に設けてある力点（ｙ１）を押すことにより、レバー（Ｙ）がその中央部に設けてある支点（ｙ２）を中心として、梃子の原理により、レバー（Ｙ）の他端に設けてあるラッチ（ｙ３）が回転して、ストッパー（３）としてのラッチ（ｙ３）がロック方向に移動して、戸先側面部（１Ｓ）をグリップすることを特徴とするスライドドア閉止構造。
ｗ２ ＝ ｛（ Ｗ２ − Ｗ１ ） ÷ ２ ｝ ± δ２                （４）
０  ≦  δ２  ≦  ｛（ Ｗ２ − Ｗ１ ） ÷ ２ ｝ × ０．１    （５）
０  ≦  ｄ２  ≦  Ｄ２                                       （６）
【手続補正２】
【補正対象書類名】明細書
【補正対象項目名】０００９
【補正方法】変更
【補正の内容】
【０００９】
［特許請求の範囲］
［請求項１］
戸先（１）、戸当り（２）、戸当り凹部（２’）、及び、ストッパー（３）を含んで構成され、
凸部たる戸先（１）を、戸当り（２）の凹部たる戸当り凹部（２’）に収納することにより、
スライドドアを閉止する機構によるスライドドア閉止構造であって、
戸当り凹部（２’）は、戸当たり凹部の底面たる戸当り正面部（２Ｆ）と、戸当たり凹部の内部側面たる戸当たり側面部（２Ｓ）から構成され、
戸先（１）の形状を規定するパラメーターである戸先幅をＷ１とし、戸当り（２）の形状を規定するパラメーターである戸当たり幅をＷ２とし、戸当り凹部（２’）の形状を規定するパラメーターである戸当り奥行長をＤ２とし、戸先側面部（１Ｓ）の戸先正面部（１Ｆ）から距離ｄ１の位置にストッパー（３）のストッパー中央部（３’）を設け、ストッパー中央部（３’）のストッパー突出長をｗ１、ストッパー遊び幅をδ１としたときに、
以下の数式（１）〜（３）を全て満たし、
且つ、
戸当たり正面部（２Ｆ）がバンパー（Ｘ’）の前端部（ｘ１’）に衝突することにより、バンパー（Ｘ’）が後退方向に後退し、バンパー（Ｘ’）の後端部（ｘ２’）がレバー（Ｙ’）の一端に設けてある摺動部（ｙ１’）を押すことにより、レバー（Ｙ’）がその中央部に設けてあるガイド（ｙ２’）に沿って、レバー（Ｙ’）の他端に設けてあるラッチ（ｙ３’）がせり上がり、ストッパー（３）としてのラッチ（ｙ３’）がロック方向に移動して、戸当たり側面部（２Ｓ）を内側から外側に向かって押圧してグリップすることを特徴とするスライドドア閉止構造。
ｗ１ ＝ ｛（ Ｗ２ − Ｗ１ ） ÷ ２ ｝ ± δ１                （１）
０  ≦  δ１  ≦  ｛（ Ｗ２ − Ｗ１ ） ÷ ２ ｝ × ０．１    （２）
０  ≦  ｄ１  ≦  Ｄ２                                       （３）
［請求項２］
戸先（１）、戸当り（２）、戸当り凹部（２’）、及び、ストッパー（３）を含んで構成され、凸部たる戸先（１）を、戸当り（２）の凹部たる戸当り凹部（２’）に収納することにより、スライドドアを閉止する機構によるスライドドア閉止構造であって、
戸当り凹部（２’）は、戸当たり凹部の底面たる戸当り正面部（２Ｆ）と、戸当たり凹部の内部側面たる戸当たり側面部（２Ｓ）から構成され、戸先（１）の形状を規定するパラメーターである戸先幅をＷ１とし、戸当り（２）の形状を規定するパラメーターである戸当たり幅をＷ２とし、戸当り凹部（２’）の形状を規定するパラメーターである戸当り奥行長をＤ２とし、戸当り側面部（２Ｓ）の戸当り正面部（２Ｆ）から距離ｄ２の位置にストッパー（３）のストッパー中央部（３’）を設け、ストッパー中央部（３’）のストッパー突出長をｗ２、ストッパー遊び幅をδ２としたときに、
以下の数式（１）〜（３）を全て満たし、
且つ、
戸先正面部（１Ｆ）がバンパー（Ｘ）の前端部（ｘ１）に衝突することにより、バンパー（Ｘ）が後退方向に後退し、バンパー（Ｘ）の後端部（ｘ２）がレバー（Ｙ）の一端に設けてある力点（ｙ１）を押すことにより、レバー（Ｙ）がその中央部に設けてある支点（ｙ２）を中心として、梃子の原理により、レバー（Ｙ）の他端に設けてあるラッチ（ｙ３）が回転して、ストッパー（３）としてのラッチ（ｙ３）がロック方向に移動して、戸先側面部（１Ｓ）をグリップすることを特徴とするスライドドア閉止構造。
ｗ２ ＝ ｛（ Ｗ２ − Ｗ１ ） ÷ ２ ｝ ± δ２                （４）
０  ≦  δ２  ≦  ｛（ Ｗ２ − Ｗ１ ） ÷ ２ ｝ × ０．１    （５）
０  ≦  ｄ２  ≦  Ｄ２                                       （６）
［請求項３］
戸先（１）、戸当り（２）、戸当り凹部（２’）、及び、ストッパー（３）を含んで構成され、
凸部たる戸先（１）を、戸当り（２）の凹部たる戸当り凹部（２’）に収納することにより、
スライドドアを閉止する機構による吊り下げ型スライドドア閉止構造であって、戸先（１）の形状を規定するパラメーターである戸先幅をＷ１とし、戸当り（２）の形状を規定するパラメーターである戸当たり幅をＷ２とし、戸当り凹部（２’）の形状を規定するパラメーターである戸当り奥行長をＤ２とし、戸先側面部（１Ｓ）の戸先正面部（１Ｆ）から距離ｄ１の位置にストッパー（３）のストッパー中央部（３’）を設け、ストッパー中央部（３’）のストッパー突出長をｗ１、ストッパー遊び幅をδ１としたときに、
以下の数式（１）〜（３）を全て満たすことを特徴とする吊り下げ型スライドドア閉止構造。
ｗ１ ＝ ｛（ Ｗ２ − Ｗ１ ） ÷ ２ ｝ ± δ１                （１）
０  ≦  δ１  ≦  ｛（ Ｗ２ − Ｗ１ ） ÷ ２ ｝ × ０．１    （２）
０  ≦  ｄ１  ≦  Ｄ２                                       （３）
［請求項４］
戸先（１）、戸当り（２）、戸当り凹部（２’）、及び、ストッパー（３）を含んで構成され、
凸部たる戸先（１）を、戸当り（２）の凹部たる戸当り凹部（２’）に収納することにより、スライドドアを閉止する機構による吊り下げ型スライドドア閉止構造であって、戸先（１）の形状を規定するパラメーターである戸先幅をＷ１とし、戸当り（２）の形状を規定するパラメーターである戸当たり幅をＷ２とし、戸当り凹部（２’）の形状を規定するパラメーターである戸当り奥行長をＤ２とし、戸当り側面部（２Ｓ）の戸当り正面部（２Ｆ）から距離ｄ２の位置にストッパー（３）のストッパー中央部（３’）を設け、ストッパー中央部（３’）のストッパー突出長をｗ２、ストッパー遊び幅をδ２としたときに、
以下の数式（１）〜（３）を全て満たすことを特徴とする吊り下げ型スライドドア閉止構造。
ｗ２ ＝ ｛（ Ｗ２ − Ｗ１ ） ÷ ２ ｝ ± δ２                （４）
０  ≦  δ２  ≦  ｛（ Ｗ２ − Ｗ１ ） ÷ ２ ｝ × ０．１    （５）
０  ≦  ｄ２  ≦  Ｄ２                                       （６）
【手続補正書】
【提出日】平成23年1月28日(2011.1.28)
【手続補正１】
【補正対象書類名】特許請求の範囲
【補正対象項目名】全文
【補正方法】変更
【補正の内容】
【特許請求の範囲】
【請求項１】
戸先（１）、戸当り（２）、戸当り凹部（２’）、及び、ストッパー（３）を含んで構成され、
凸部たる戸先（１）を、戸当り（２）の凹部たる戸当り凹部（２’）に収納することにより、
スライドドアを閉止する機構によるスライドドア閉止構造であって、
戸当り凹部（２’）は、戸当たり凹部の底面たる戸当り正面部（２Ｆ）と、戸当たり凹部の内部側面たる戸当たり側面部（２Ｓ）から構成され、
戸先（１）の形状を規定するパラメーターである戸先幅をＷ１とし、
戸当り（２）の形状を規定するパラメーターである戸当たり幅をＷ２とし、
戸当り凹部（２’）の形状を規定するパラメーターである戸当り奥行長をＤ２とし、
戸先側面部（１Ｓ）の戸先正面部（１Ｆ）から距離ｄ１の位置にストッパー（３）のストッパー中央部（３’）を設け、
ストッパー中央部（３’）のストッパー突出長をｗ１、ストッパー遊び幅をδ１としたときに、
以下の数式（１）〜（３）を全て満たし、
且つ、
戸当たり正面部（２Ｆ）がバンパー（Ｘ’）の前端部（ｘ１’）に衝突することにより、バンパー（Ｘ’）が後退方向に後退し、
バンパー（Ｘ’）の後端部（ｘ２’）がレバー（Ｙ’）の一端に設けてある摺動部（ｙ１’）を押すことにより、
レバー（Ｙ’）がその中央部に設けてあるガイド（ｙ２’）に沿って、
レバー（Ｙ’）の他端に設けてあるラッチ（ｙ３’）がせり上がり、
ストッパー（３）としてのラッチ（ｙ３’）がロック方向に移動して、
戸当たり側面部（２Ｓ）を内側から外側に向かって押圧してグリップすることを特徴とするスライドドア閉止構造。
ｗ１ ＝ ｛（ Ｗ２ − Ｗ１ ） ÷ ２ ｝ ± δ１                （１）
０  ≦  δ１  ≦  ｛（ Ｗ２ − Ｗ１ ） ÷ ２ ｝ × ０．１    （２）
０  ≦  ｄ１  ≦  Ｄ２                                       （３）
【請求項２】
戸先（１）、戸当り（２）、戸当り凹部（２’）、及び、ストッパー（３）を含んで構成され、
凸部たる戸先（１）を、戸当り（２）の凹部たる戸当り凹部（２’）に収納することにより、
スライドドアを閉止する機構によるスライドドア閉止構造であって、
戸当り凹部（２’）は、戸当たり凹部の底面たる戸当り正面部（２Ｆ）と、戸当たり凹部の内部側面たる戸当たり側面部（２Ｓ）から構成され、
戸先（１）の形状を規定するパラメーターである戸先幅をＷ１とし、
戸当り（２）の形状を規定するパラメーターである戸当たり幅をＷ２とし、
戸当り凹部（２’）の形状を規定するパラメーターである戸当り奥行長をＤ２とし、
戸当り側面部（２Ｓ）の戸当り正面部（２Ｆ）から距離ｄ２の位置にストッパー（３）のストッパー中央部（３’）を設け、
ストッパー中央部（３’）のストッパー突出長をｗ２、ストッパー遊び幅をδ２としたときに、
以下の数式（４）〜（６）を全て満たし、
且つ、
戸先正面部（１Ｆ）がバンパー（Ｘ）の前端部（ｘ１）に衝突することにより、バンパー（Ｘ）が後退方向に後退し、
バンパー（Ｘ）の後端部（ｘ２）がレバー（Ｙ）の一端に設けてある力点（ｙ１）を押すことにより、
レバー（Ｙ）がその中央部に設けてある支点（ｙ２）を中心として、
梃子の原理により、
レバー（Ｙ）の他端に設けてあるラッチ（ｙ３）が回転して、
ストッパー（３）としてのラッチ（ｙ３）がロック方向に移動して、戸先側面部（１Ｓ）をグリップすることを特徴とするスライドドア閉止構造。
ｗ２ ＝ ｛（ Ｗ２ − Ｗ１ ） ÷ ２ ｝ ± δ２                （４）
０  ≦  δ２  ≦  ｛（ Ｗ２ − Ｗ１ ） ÷ ２ ｝ × ０．１    （５）
０  ≦  ｄ２  ≦  Ｄ２                                       （６）
【手続補正２】
【補正対象書類名】明細書
【補正対象項目名】０００９
【補正方法】変更
【補正の内容】
【０００９】
［特許請求の範囲］
［請求項１］
戸先（１）、戸当り（２）、戸当り凹部（２’）、及び、ストッパー（３）を含んで構成され、
凸部たる戸先（１）を、戸当り（２）の凹部たる戸当り凹部（２’）に収納することにより、
スライドドアを閉止する機構によるスライドドア閉止構造であって、
戸当り凹部（２’）は、戸当たり凹部の底面たる戸当り正面部（２Ｆ）と、戸当たり凹部の内部側面たる戸当たり側面部（２Ｓ）から構成され、
戸先（１）の形状を規定するパラメーターである戸先幅をＷ１とし、
戸当り（２）の形状を規定するパラメーターである戸当たり幅をＷ２とし、
戸当り凹部（２’）の形状を規定するパラメーターである戸当り奥行長をＤ２とし、
戸先側面部（１Ｓ）の戸先正面部（１Ｆ）から距離ｄ１の位置にストッパー（３）のストッパー中央部（３’）を設け、
ストッパー中央部（３’）のストッパー突出長をｗ１、ストッパー遊び幅をδ１としたときに、
以下の数式（１）〜（３）を全て満たし、
且つ、
戸当たり正面部（２Ｆ）がバンパー（Ｘ’）の前端部（ｘ１’）に衝突することにより、バンパー（Ｘ’）が後退方向に後退し、
バンパー（Ｘ’）の後端部（ｘ２’）がレバー（Ｙ’）の一端に設けてある摺動部（ｙ１’）を押すことにより、
レバー（Ｙ’）がその中央部に設けてあるガイド（ｙ２’）に沿って、
レバー（Ｙ’）の他端に設けてあるラッチ（ｙ３’）がせり上がり、
ストッパー（３）としてのラッチ（ｙ３’）がロック方向に移動して、
戸当たり側面部（２Ｓ）を内側から外側に向かって押圧してグリップすることを特徴とするスライドドア閉止構造。
ｗ１ ＝ ｛（ Ｗ２ − Ｗ１ ） ÷ ２ ｝ ± δ１                （１）
０  ≦  δ１  ≦  ｛（ Ｗ２ − Ｗ１ ） ÷ ２ ｝ × ０．１    （２）
０  ≦  ｄ１  ≦  Ｄ２                                       （３）
［請求項２］
戸先（１）、戸当り（２）、戸当り凹部（２’）、及び、ストッパー（３）を含んで構成され、
凸部たる戸先（１）を、戸当り（２）の凹部たる戸当り凹部（２’）に収納することにより、
スライドドアを閉止する機構によるスライドドア閉止構造であって、
戸当り凹部（２’）は、戸当たり凹部の底面たる戸当り正面部（２Ｆ）と、戸当たり凹部の内部側面たる戸当たり側面部（２Ｓ）から構成され、
戸先（１）の形状を規定するパラメーターである戸先幅をＷ１とし、
戸当り（２）の形状を規定するパラメーターである戸当たり幅をＷ２とし、
戸当り凹部（２’）の形状を規定するパラメーターである戸当り奥行長をＤ２とし、
戸当り側面部（２Ｓ）の戸当り正面部（２Ｆ）から距離ｄ２の位置にストッパー（３）のストッパー中央部（３’）を設け、
ストッパー中央部（３’）のストッパー突出長をｗ２、ストッパー遊び幅をδ２としたときに、
以下の数式（４）〜（６）を全て満たし、
且つ、
戸先正面部（１Ｆ）がバンパー（Ｘ）の前端部（ｘ１）に衝突することにより、バンパー（Ｘ）が後退方向に後退し、
バンパー（Ｘ）の後端部（ｘ２）がレバー（Ｙ）の一端に設けてある力点（ｙ１）を押すことにより、
レバー（Ｙ）がその中央部に設けてある支点（ｙ２）を中心として、
梃子の原理により、
レバー（Ｙ）の他端に設けてあるラッチ（ｙ３）が回転して、
ストッパー（３）としてのラッチ（ｙ３）がロック方向に移動して、戸先側面部（１Ｓ）をグリップすることを特徴とするスライドドア閉止構造。
ｗ２ ＝ ｛（ Ｗ２ − Ｗ１ ） ÷ ２ ｝ ± δ２                （４）
０  ≦  δ２  ≦  ｛（ Ｗ２ − Ｗ１ ） ÷ ２ ｝ × ０．１    （５）
０  ≦  ｄ２  ≦  Ｄ２                                       （６）